(57)【要約】  【課題】  不要な外光はカットし、コントラストは向上させることができる電子ディスプレイ用フィルターを提供すること。  【解決手段】  ５３０〜５６０ｎｍに吸収極大を有するジピロメテン系色素を含有する層を有することを特徴とする電子ディスプレイ用フィルター。【選択図】    図１
2005077953.tif 000002
【特許請求の範囲】
【請求項１】
５３０〜５６０ｎｍに吸収極大を有するジピロメテン系色素を含有する層を有することを特徴とする電子ディスプレイ用フィルター。
【請求項２】
ジピロメテン系色素が下記一般式（Ｉ）で表される化合物であることを特徴とする請求項１に記載の電子ディスプレイ用フィルター。
【化１】
2005077953.tif 000027
［式（Ｉ）中、Ｒ11〜Ｒ19は各々独立に、水素原子、ハロゲン原子、ニトロ基、シアノ基、水酸基、置換基を有していてもよいアミノ基、エステル化されていてもよいカルボキシル基、スルホン酸基、アシル基、アシルオキシ基、置換基を有していてもよいアルキル基、置換基を有していてもよいアルコキシ基、置換基を有していてもよいアルキルチオ基、置換基を有していてもよいアルケニル基、置換基を有していてもよいアリール基、置換基を有していてもよいアリールオキシ基、置換基を有していてもよいアリールチオ基、置換基を有していてもよい複素環基、置換基を有していてもよい複素環オキシ基、
置換基を有していてもよいカルバモイル基を表し、Ｍ1は遷移金属原子を表す。］
【請求項３】
下記一般式（ＩＩ）、（ＩＩＩ）又は（ＩＶ）で表される化合物を含有する層を有することを特徴とする請求項１又は２に記載の電子ディスプレイ用フィルター。
【化２】
2005077953.tif 000028
［式（ＩＩ）中、Ｒ21 〜Ｒ28は、各々独立に、水素原子、ハロゲン原子、ニトロ基、シアノ基、水酸基、アミノ基、置換基を有していても良いアルキル基、置換基を有していても良いアルコキシ基、置換基を有していても良いアリール基、置換基を有していても良いアリールオキシ基、置換基を有していても良いアルキルアミノ基、置換基を有していても良いジアルキルアミノ基、置換基を有していても良いアルキルチオ基、又は置換基を有していても良いアリールチオ基を示し、また、Ｒ21とＲ22、Ｒ23とＲ24、Ｒ25とＲ26、Ｒ27とＲ28は各々連結して脂肪族炭素環を形成しても良い。Ｍ2は、２個の水素原子、２価の金属原子、３価１置換金属原子、４価２置換金属原子又はオキシ金属原子を示す。］
【化３】
2005077953.tif 000029
〔式（ＩＩＩ）中、Ｒ31は、各々独立に、置換基を有していてもよいアルキル基、置換基を有していてもよいアルコキシ基、置換基を有していてもよいシクロアルキル基、置換基を有していてもよいアリール基、置換基を有していてもよいアリールオキシ基、又はハロゲン原子を示し、Ｗ3−Ｘ3−Ｒ32中のＷ3は、各々独立に、イミノ基、アルキルイミノ基、又は酸素原子を示し、Ｘ3は、各々独立に、カルボニル基、又はスルホニル基を示し、Ｒ32は、各々独立に、１価基、又は水素原子を示し、ｌ3及びｌ3'はそれぞれ独立して０〜５の整数、ｍ3及びｍ3'はそれぞれ独立して０〜５の整数、ｎ3及びｎ3'はｎ3＋ｎ3'≧１である０〜３の整数で、ｌ3＋ｍ3＋ｎ3≦５、及びｌ'＋ｍ'＋ｎ'≦５であり、ベンゼン環上にＲ31及びＷ3−Ｘ3−Ｒ32がそれぞれ複数個存在するとき、Ｒ31及びＷ3−Ｘ3−Ｒ32のそれぞれは、一方のベンゼン環において、又、他方のベンゼン環との間で、互いに異なっていてもよい。〕
【化４】
2005077953.tif 000030
〔（式（ＩＶ）中、−Ｔ4−は、各々独立に、酸素原子、硫黄原子、又は、−ＣＲ41Ｒ42−で表される基（Ｒ41及びＲ42は各々独立に、炭素数１〜４のアルキル基を表し、Ｒ41とＲ42は連結して酸素、硫黄、窒素原子を含んでもよい３〜６員環を形成していてもよい。）であり、Ｙ4は各々独立に有機基を表し、Ｘ4は、各々独立に、水素原子、ハロゲン原子、アルキル基、又は、アリール基を表し、Ｒ40は、各々独立に、ハロゲン原子、ニトロ基、アルコキシ基、又は、アリール基を表し、ｋ4は、１又は２を表し、Ａｎ4m4-はｍ4価のアニオンを表し、ｍ4は１又は２の整数を表し、ｐ4は電荷を中性に保つ係数を表す。〕
【請求項４】
下記一般式（Ｖ）で表される化合物を含有する層を有することを特徴とする請求項１〜３のいずれかに記載の電子ディスプレイ用フィルター。
【化５】
2005077953.tif 000031
［式（Ｖ）中、Ｒ53は、置換基を有していてもよいアルキル基、置換基を有していてもよいシクロアルキル基、置換基を有していてもよいアリール基、又は水素原子を示し、Ｒ51は、各々独立に、置換基を有していてもよいアルキル基、置換基を有していてもよいアルコキシ基、置換基を有していてもよいアルコキシカルボニル基、置換基を有していてもよいシクロアルキル基、置換基を有していてもよいアリール基、置換基を有していてもよいアリールオキシ基、置換基を有していてもよいアリールオキシカルボニル基、置換基を有していてもよいアミノ基、又は水素原子を示し、Ｒ52は、各々独立に、置換基を有していてもよいアルキル基、置換基を有していてもよいシクロアルキル基、置換基を有していてもよいアリール基、又は水素原子を示し、Ｙ5は、各々独立に、酸素原子、又はイミノ基を示し、これらのＲ51、Ｒ52、及びＹ5は、両方のピラゾール環の間で互いに異なっていてもよい。］
【請求項５】
下記一般式（ＶＩ）又は（ＶＩＩ）で表される化合物を含有する層を有することを特徴とする請求項１〜４のいずれかに記載の電子ディスプレイ用フィルター。
【化６】
2005077953.tif 000032
［式（ＶＩ）中、Ｒ61は、各々独立に、置換基を有していてもよいアルキル基、置換基を有していてもよいシクロアルキル基、置換基を有していてもよいアリール基、又は水素原子を示し、Ｒ62は、各々独立に、置換基を有していてもよいアルキル基、置換基を有していてもよいアルコキシ基、置換基を有していてもよいアルコキシカルボニル基、置換基を有していてもよいシクロアルキル基、置換基を有していてもよいアリール基、置換基を有していてもよいアリールオキシ基、置換基を有していてもよいアリールオキシカルボニル基、置換基を有していてもよいアミノ基、水酸基、又は水素原子を示し、これらのＲ61及びＲ62は両方のピラゾール環の間で互いに異なっていてもよい。］
【化７】
2005077953.tif 000033
［式（ＶＩＩ）中、Ｒ71〜Ｒ77は各々独立に、水素原子、ハロゲン原子、ニトロ基、シアノ基、水酸基、置換基を有していてもよいアミノ基、エステル化されていてもよいカルボキシル基、スルホン酸基、アシル基、アシルオキシ基、置換基を有していてもよいアルキル基、置換基を有していてもよいアルコキシ基、置換基を有していてもよいアルキルチオ基、置換基を有していてもよいアルケニル基、置換基を有していてもよいアリール基、置換基を有していてもよいアリールオキシ基、置換基を有していてもよいアリールチオ基、置換基を有していてもよい複素環基、置換基を有していてもよい複素環オキシ基、置換基を有していてもよいカルバモイル基を表し、Ｒ71とＲ72又はＲ76とＲ77は、各々連結して置換基を有していてもよい芳香環を形成してもよい。Ｍ7は金属原子を表す。〕
【発明の詳細な説明】
【技術分野】
【０００１】
本発明は電子ディスプレイ用フィルターに関し、更に詳細にはコントラスト向上のために特定位置に吸収極大を有するジピロメテン系色素を用いた電子ディスプレイ用フィルターに関する。電子ディスプレイとしては、ＣＲＴ（ブラウン管）、ＬＣＤ（液晶ディスプレイ）、プラズマディスプレイ、有機・無機ＥＬディスプレイ、ＦＥＤ（フィールドエミッションディスプレイ）を挙げることができるが、電気によって光を放射或いは反射することで文字や画像を表示するものであればこれらに限定されるものではない。
【背景技術】
【０００２】
電子ディスプレイ用のフィルターとしては、コントラストの向上や色調調整、近赤外線や電磁波のカットなどの目的で、各種検討がなされており、特に色調調整やコントラストの向上については、特定波長のディスプレイ発光のカットや外光の吸収について各種検討がなされている。
例えば、蛍光灯下の明所コントラスト改善のために、３波長蛍光管の赤、緑および青の３原色発光のピーク波長に相当する４３６ｎｍ、５４７ｎｍ、６１２ｎｍに対する波長選択性カットフィルターを有し、且つ、４９０ｎｍ付近に吸収を有するプラズマディスプレイフィルターを用いることが知られている（特許文献１参照）が、このような文献にはどのような手段で波長選択性フィルターを得るかについては全く記載されていない。
【特許文献１】特開２００３−１５７０１７号公報
【発明の開示】
【発明が解決しようとする課題】
【０００３】
本発明においては、色素を用いることで、外光の特定波長の光を選択的にカットするとともに、ディスプレイ本来の好適な発光は阻害しないような、優れたコントラスト向上効果を有するフィルターを提供することを課題とする。
【課題を解決するための手段】
【０００４】
本発明者らは上記課題を解決するために鋭意検討した結果、特定波長域に吸収極大を有するジピロメテン系色素が、ディスプレイのコントラスト向上に対し優れた効果を示すことを見出し、本発明を完成するに至った。すなわち本発明の要旨は、５３０〜５６０ｎｍに吸収極大を有するジピロメテン系色素を含有する層を有することを特徴とする電子ディスプレイ用フィルターに関するものである。
【発明の効果】
【０００５】
本発明によれば、基材中に５３０〜５６０ｎｍといった特定波長域に吸収極大を有するジピロメテン系色素を含有する層を持たせることにより、各種電子ディスプレイにおいて、外光の特定波長の光を選択的にカットすると共に、ディスプレイ本来の好適な発光は阻害しないため、明所での優れたコントラスト向上効果を有した電子ディスプレイ用フィルターを得ることが出来る。
【発明を実施するための最良の形態】
【０００６】
以下、本発明の電子ディスプレイ用フィルターを実施の形態について更に詳細に説明する。図１は本発明の電子ディスプレイ用フィルター１０を電子ディスプレイ１１の前面に配置し、電子ディスプレイの発光１２を大きく妨害することなく、電子ディスプレイ表面での外光の反射光１３を低減している状態を概念的に示す構成説明図である。
【０００７】
また、図２はプラズマディスプレイからなる電子ディスプレイの発光スペクトル（発光スペクトル１４）、３波長域発光形蛍光灯Ｆ１０（発光スペクトル１５）、及び電子ディスプレイ用フィルターの透過スペクトル（透過スペクトル１６）を示す特性図であり、図３はプラズマディスプレイからなる電子ディスプレイの発光スペクトル、３波長域発光形蛍光灯Ｆ１０の発光スペクトルを示す特性図である。照明として広く使用されている蛍光灯としては、ＪＩＳ  Ｚ８７１９−１９９６に記述されている普通形蛍光灯Ｆ６や、３波長域発光形蛍光灯Ｆ１０があるが、本発明では標準的な外光として３波長域発光形蛍光灯Ｆ１０を位置付ける。
【０００８】
本発明の電子ディスプレイ用フィルター１０は、図１に示されるように電子ディスプレイ１１の前面に配置し、電子ディスプレイの発光１２を大きく妨害することなく、電子ディスプレイ表面での外光の反射光１３を低減する。図１から分かるように外光２３は電子ディスプレイ用フィルター１０を往復することになる。つまり電子ディスプレイ用フィルター１０によって外光２３は合計２回、弱められることになる。
【０００９】
図２に示される発光スペクトル１４から明らかなように５３０ｎｍ〜５６０ｎｍの波長域はプラズマディスプレイの発光が比較的弱く、しかし図３に示されるＦ１０の発光スペクトル１５から明らかなように、不要外光としての３波長域発光形蛍光灯Ｆ１０の緑色発光ピークの波長が通常５４５ｎｍ近くにあり、この部分の光線をカットすることによって、プラズマディスプレイからの発光をあまり弱めずに不要な外光成分を効果的にカットすることができる。つまりディスプレイ表面での外光の反射成分を減らし、画面表示の黒部分をより黒くすることができる。これによりディスプレイのコントラストを向上することができる。
【００１０】
具体的には、電子ディスプレイ用フィルターにおいて、電子ディスプレイの緑色発光ピークの波長（プラズマディスプレイでは通常５２５ｎｍ付近であるが、蛍光体や電子ディスプレイの種類によって異なる）の光線透過率Ｙ4（％）に対して３波長域発光形蛍光管の緑色発光ピークの波長の光線透過率Ｙ2（％）が５以上、好ましくは７以上、さらに好ましくは１０以上低いとコントラスト向上の効果が高い。さらに、３波長域発光形蛍光灯Ｆ１０の発光スペクトル（ＪＩＳ  Ｚ８７１９−１９９６）を使用した視感透過率Ｙ3（％）が、電子ディスプレイの白色発光スペクトルを使用した視感透過率Ｙ1（％）に対して１以上、好ましくは２以上、さらに好ましくは３以上低いと、コントラスト向上の効果が高い。
【００１１】
但し、電子ディスプレイ発光の輝度を大きく低下させないために、前記視感透過率Ｙ1（％）は１０％以上、好ましくは２０％以上、更に好ましくは３０％以上であることが望ましい。視感透過率は、ＪＩＳ  Ｚ８１０５−１９８２に記述された、物体を透過する光束φｔと物体に入射する光束φｉとの比、φｔ／φｉであり、人の視覚系の明るさ感覚に対する相対分光応答度(分光視感効率)を考慮した上での、３８０ｎｍ〜７８０ｎｍの波長域における透過率の平均で、これは物体の相対的な明暗を示す明度とおおむね相関するため、視感透過率をフィルターの明るさ／暗さの指標としている。
【００１２】
不要外光としての３波長域発光形蛍光灯Ｆ１０のピーク波長５４５ｎｍの緑色発光を色素により効率的にカットするためには、５３０〜５６０ｎｍに吸収極大を有する色素が必要である。吸収極大が５３０ｎｍよりも短波長側、又は、５６０ｎｍよりも長波長側にあると、この波長域には外光成分が少ないため外光カットの効果が低く、また波長５２５ｎｍ近傍にはプラズマディスプレイの緑色発光ピーク（発光スペクトル１４におけるポイントＧ付近）があり、この緑色発光を妨害してしまうため、コントラスト向上の効果が低下し、好ましくない。
【００１３】
本発明者らはジピロメテン系色素が、不要外光としての３波長域発光形蛍光灯Ｆ１０における５４５ｎｍの緑色発光ピーク波長に同じ又は近い波長に主要吸収波長を有し、且つ、比較的狭い吸収波長幅を有することを見出し、電子ディスプレイ用フィルターにジピロメテン系色素を含有する層を設けることで、好適な発光を吸収してしまうことによるコントラスト向上効果の低下を最低限に抑え、且つ、効果的に不要外光をカットし、優れたコントラスト向上効果を得ることに成功した。
このようなジピロメテン系化合物は一般式（Ｉ）で示すことができる。
【００１４】
【化８】
2005077953.tif 000003
【００１５】
［式（Ｉ）中、Ｒ11〜Ｒ19は各々独立に、水素原子、ハロゲン原子、ニトロ基、シアノ基、水酸基、置換基を有していてもよいアミノ基、エステル化されていてもよいカルボキシル基、スルホン酸基、アシル基、アシルオキシ基、置換基を有していてもよいアルキル基、置換基を有していてもよいアルコキシ基、置換基を有していてもよいアルキルチオ基、置換基を有していてもよいアルケニル基、置換基を有していてもよいアリール基、置換基を有していてもよいアリールオキシ基、置換基を有していてもよいアリールチオ基、置換基を有していてもよい複素環基、置換基を有していてもよい複素環オキシ基、置換基を有していてもよいカルバモイル基、を表し、Ｍ1は遷移金属原子を表す。］
【００１６】
前記一般式（Ｉ）において、Ｒ11〜Ｒ19で表されるハロゲン原子としては、例えば、フッ素原子、塩素原子、臭素原子などが挙げられる。
Ｒ11〜Ｒ19で表される置換基を有していてもよいアミノ基としては、アミノ基、置換基を有していてもよいアシルアミノ基、置換基を有していてもよいアルキルアミノ基、置換基を有していてもよいジアルキルアミノ基、アリールアミノ基、ジアリールアミノ基、アルキルアリールアミノ基などが挙げられる。置換基を有していてもよいアシルアミノ基としては、置換基を有していてもよいアルキルカルボニルアミノ基、置換基を有していてもよいアリールカルボニルアミノ基などが挙げられる。
【００１７】
アルキルアミノ基又はジアルキルアミノ基としては、メチル基、エチル基、プロピル基、ブチル基、ペンチル基、ヘキシル基、ヘプチル基、オクチル基、デシル基、ウンデシル基、ドデシル基、ペンタデシル基等の炭素数１〜２０のアルキル基で１置換又は２置換されたアミノ基が挙げられる。
アリールアミノ基又はジアリールアミノ基としては、フェニル基、ナフチル基等の炭素数６〜１２のアリール基で１置換または２置換されたアミノ基が挙げられる。
アルキルアリールアミノ基としては、メチル基、エチル基、プロピル基、ブチル基、ペンチル基、ヘキシル基、ヘプチル基、オクチル基、デシル基、ウンデシル基、ドデシル基、ペンタデシル基等の炭素数１〜２０のアルキル基と、フェニル基、ナフチル基等の炭素数６〜１２のアリール基とで置換されたアミノ基が挙げられる。
【００１８】
アルキルカルボニルアミノ基としては、アセチルアミノ基、エチルカルボニルアミノ基、ブチルカルボニルアミノ基等の炭素数２〜２０のものが挙げられる。
アリールカルボニルアミノ基としては、フェニルカルボニルアミノ基、4-エチルフェニルカルボニルアミノ基、3-ブチルフェニルカルボニルアミノ基等の炭素数７〜２０のものが挙げられる。
これらのアシルアミノ基、アルキルアミノ基、ジアルキルアミノ基、アリールアミノ基、ジアリールアミノ基又はアルキルアリールアミノ基のアシル基、アルキル基及びアリール基に結合する置換基としては、炭素数１〜１０のアルキル基、炭素数１〜１０のアルコキシ基、水酸基、ハロゲン原子等が挙げられる。
【００１９】
Ｒ11〜Ｒ19で表されるエステル化されていてもよいカルボキシル基としては、カルボキシル基、置換基を有していてもよいアルコキシカルボニル基、置換基を有していてもよいアリールオキシカルボニル基、置換基を有していてもよいアルケニルオキシカルボニル基などが挙げられる。
【００２０】
アルコキシカルボニル基としては、メトキシカルボニル基、エトキシカルボニル基、イソプロピルオキシカルボニル基、2,4-ジメチルブチルオキシカルボニル基等の炭素数２〜２０のアルコキシカルボニル基が挙げられる。アルコキシカルボニル基には更に置換基として、炭素数６〜１２のアリール基、炭素数２〜１０のアルコキシカルボニル基、炭素数２〜１０のアルキルカルボニル基等が結合していてもよい。このような置換機を有するものとしては、例えば、ベンジルオキシカルボニル基、フェネチルオキシカルボニル基等の炭素数８〜２０のアルキルオキシカルボニル基、メトキシカルボニルメトキシカルボニル基、エトキシカルボニルメトキシカルボニル基、n-プロポキシカルボニルメトキシカルボニル基、イソプロポキシカルボニルメトキシカルボニル基等の炭素数４〜２０のアルコキシカルボニルアルコキシカルボニル基、メチルカルボニルメトキシカルボニル基、エチルカルボニルメトキシカルボニル基などの炭素数４〜２０のアルキルカルボニルアルコキシカルボニル基が挙げられる。これらのアラルキルオキシカルボニル基、アルコキシカルボニルアルコキシカルボニル基、アルキルカルボニルアルコキシカルボニル基はさらに、上述の置換基を有していてもよい。
【００２１】
アリールオキシカルボニル基としては、炭素数１〜１０のアルキル基、炭素数１〜１０のアルコキシ基、水酸基、ハロゲン原子等で置換されていてもよいフェノキシカルボニル基又はナフチルオキシカルボニル基が挙げられる。アルキルフェノキシカルボニル基としては、2-メチルフェノキシカルボニル基、4-t-ブチルフェノキシカルボニル基などの炭素数７〜２０のものが挙げられ、アルコキシフェノキシカルボニル基としては、4-メトキシフェノキシカルボニル基等の炭素数７〜２０のものが挙げられる。これらのアルキルフェノキシカルボニル基、アルコキシフェノキシカルボニル基はさらに、上述の置換基を有していてもよい。
アルケニルオキシカルボニル基としては、アリルオキシカルボニル基、2-ブテノキシカルボニル基等の炭素数３〜２０のものが挙げられる。アルケニルオキシカルボニル基の置換基としては、炭素数１〜１０のアルキル基、炭素数１〜１０のアルコキシ基、水酸基、ハロゲン原子等が挙げられる。
【００２２】
Ｒ11〜Ｒ19で表されるアシル基としては、ホルミル基、アセチル基、エチルカルボニル基、n-プロピルカルボニル基、iso-プロピルカルボニル基、n-ブチルカルボニル基、iso-ブチルカルボニル基、sec-ブチルカルボニル基、t-ブチルカルボニル基、n-ペンチルカルボニル基、iso-ペンチルカルボニル基、neo-ペンチルカルボニル基、2-メチルブチルカルボニル基、ベンジルカルボニル基、ベンゾイル基等の炭素数１〜２０のものが挙げられる。アシル基の置換基としては、ハロゲン原子、ニトロ基、水酸基、シアノ基、アルコキシ基、アリールオキシ基などが挙げられる。ハロゲン原子の置換したアシル基としてはクロロベンジルカルボニル基等が挙げられ、ニトロ基の置換したアシル基としてはニトロベンジルカルボニル基等が挙げられ、水酸基の置換したアシル基としてはヒドロキシベンジルカルボニル基、ヒドロキシブチルカルボニル基等が挙げられ、シアノ基が置換したアシル基としてはシアノベンジルカルボニル基、シアノペンチルカルボニル基等が挙げられ、アルコキシ基が置換したアシル基としてはメトキシベンジルカルボニル基等が挙げられ、アリールオキシ基の置換したアシル基としてはフェノキシベンジルカルボニル基等が挙げられる。
Ｒ11〜Ｒ19で表されるアシルオキシ基のアシル基としては、上記で記載したのと同様のものが挙げられる。
【００２３】
Ｒ11〜Ｒ19で表されるアルキル基としては、メチル基、エチル基、n-プロピル基、iso-プロピル基、n-ブチル基、iso-ブチル基、sec-ブチル基、t-ブチル基、n-ペンチル基、iso-ペンチル基、2-メチルブチル基、1-メチルブチル基、neo-ペンチル基、1,2-ジメチルプロピル基、1,1-ジメチルプロピル基、cyclo-ペンチル基、n-ヘキシル基、4-メチルペンチル基、3-メチルペンチル基、2-メチルペンチル基、1-メチルペンチル基、3,3-ジメチルブチル基、2,3-ジメチルブチル基、1,3-ジメチルブチル基、2,2-ジメチルブチル基、1,2-ジメチルブチル基、1,1-ジメチルブチル基、3-エチルブチル基、2-エチルブチル基、1-エチルブチル基、1,2,2-卜リメチルブチル基、1,1,2-トリメチルブチル基、1-エチル-2-メチルプロピル基、cyclo-ヘキシル基、n-ヘプチル基、2-メチルヘキシル基、3-メチルヘキシル基、4-メチルヘキシル基、5-メチルヘキシル基、2,4-ジメチルペンチル基、n-オクチル基、2-エチルヘキシル基、2,5-ジメチルヘキシル基、2,5,5-トリメチルペンチル基、2,4-ジメチルヘキシル基、2,2,4-トリメチルペンチル基、n-オクチル基、3,5,5-トリメチルヘキシル基、n-ノニル基、n-デシル基、4-エチルオクチル基、4-エチル-4,5-メチルヘキシル基、n-ウンデシル基、n-ドデシル基、1,3,5,7-テトラエチルオクチル基、4-ブチルオクチル基、6,6-ジエチルオクチル基、n-トリデシル基、6-メチル-4-ブチルオクチル基、n-テトラデシル基、n-ペンタデシル基、3,5-ジメチルヘプチル基、2,6-ジメチルヘプチル基、2,4-ジメチルヘプチル基、2,2,5,5-テトラメチルヘキシル基、1-cyclo-ペンチル-2,2- ジメチルプロピル基、1-cyclo-ヘキシル-2,2-ジメチルプロピル基等の炭素数１〜２０の直鎖状、分岐鎖状又は環状のものが挙げられる。
【００２４】
アルキル基の置換基としては、ハロゲン原子、炭素数１〜１０のアルコキシ基、アリール基、水酸基、シアノ基などが挙げられる。
ハロアルキル基としては、クロロメチル基、ジクロロメチル基、フルオロメチル基、トリフルオロメチル基、ペンタフルオロエチル基、ノナフルオロブチル基等の炭素数１〜２０のハロアルキル基が挙げられる。
アルコキシアルキル基としては、メトキシエチル基、エトキシエチル基、iso-プロピルオキシエチル基、3-メトキシプロピル基、2-メトキシブチル基等の炭素数２〜２０のアルコキシアルキル基が挙げられる。
【００２５】
アラルキル基としては、ベンジル基、ナフチルメチル基などが挙げられる。アラルキル基の置換基としては、ニトロ基、シアノ基、水酸基、炭素数１〜１０のアルキル基、炭素数１〜１０のハロアルキル基、炭素数１〜１０のアルコキシ基、ハロゲン原子等が挙げられ、置換基を有するアラルキル基としては、例えば、ニトロベンジル基、シアノベンジル基、ヒドロキシベンジル基、メチルベンジル基、ジメチルベンジル基、トリメチルベンジル基、ジクロロベンジル基、メトキシベンジル基、エトキシベンジル基、トリフルオロメチルベンジル基、ナフチルメチル基、ニトロナフチルメチル基、シアノナフチルメチル基、ヒドロキシナフチルメチル基、メチルナフチルメチル基、トリフルオロメチルナフチルメチル基等の炭素数７〜２０のものが挙げられる。
【００２６】
ヒドロキシアルキル基としては、ヒドロキシメチル基、ヒドロキシエチル基、ヒドロキシプロピル基、ヒドロキシブチル基等の炭素数１〜２０のものが挙げられる。
シアノアルキル基としては、シアノメチル基、シアノエチル基、シアノプロピル基、シアノブチル基等の炭素数が２〜２０のものが挙げられる。
【００２７】
Ｒ11〜Ｒ19で表されるアルコキシ基としては、メトキシ基、エトキシ基、n-プロポキシ基、iso-プロポキシ基、n-ブトキシ基、iso-ブトキシ基、sec-ブトキシ基、t-ブトキシ基、n-ペントキシ基、iso-ペントキシ基、neo-ペントキシ基、n-ヘキシルオキシ基、n-ドデシルオキシ基等の炭素数１〜２０の直鎖状又は分岐鎖状のアルコキシ基が挙げられ、アルコキシ基の置換基としては、炭素数１〜１０のアルコキシ基、ハロゲン原子、アリール基などが挙げられる。アルコキシアルコキシ基としては、メトキシエトキシ基、エトキシエトキシ基、3-メトキシプロピルオキシ基、3-（iso-プロピルオキシ）プロピルオキシ基等の炭素数２〜２０のものが挙げられる。ハロアルコキシ基としては、トリフルオロメトキシ基等の炭素数１〜２０のものが挙げられる。アラルキルオキシ基としては、ベンジルオキシ基などの炭素数７〜２０のものが挙げられる。
【００２８】
Ｒ11〜Ｒ19で表されるアルキルチオ基としては、メチルチオ基、エチルチオ基、n-プロピルチオ基、iso-プロピルチオ基、n-ブチルチオ基、iso-ブチルチオ基、sec-ブチルチオ基、t-ブチルチオ基、n-ペンチルチオ基、iso-ペンチルチオ基、2-メチルブチルチオ基、1-メチルブチルチオ基、neo-ペンチルチオ基、1,2-ジメチルプロピルチオ基、1,1-ジメチルプロピルチオ基等の炭素数１〜２０のアルキルチオ基が挙げられ、アルキルチオ基の置換基としては、ハロゲン原子、アリール基などが挙げられる。ハロアルキルチオ基としては、トリフルオロメチルチオ基などが挙げられ、アラルキルチオ基としては、ベンジルチオ基などが挙げられる。
【００２９】
Ｒ11〜Ｒ19で表されるアルケニル基としては、ビニル基、プロペニル基、1-ブテニル基、iso-ブテニル基、1-ペンテニル基、2-ペンテニル基、2-メチル-1-ブテニル基、3-メチル-1-ブテニル基、2-メチル-2-ブテニル基、2,2-ジシアノビニル基、2-シアノ-2-メチルカルボキシルビニル基、2-シアノ-2-メチルスルホンビニル基等の炭素数２〜２０のアルケニル基が挙げられる。
【００３０】
Ｒ11〜Ｒ19で表されるアリール基としては、フェニル基、ナフチル基等が挙げられる。アリール基の置換基としては、ハロゲン原子、ニトロ基、シアノ基、水酸基、炭素数１〜１０のアルキル基、炭素数１〜１０のアルコキシ基、炭素数１〜１０のハロアルキル基、アルキル基及びアリール基からなる置換基で１または２置換されていてもよいアミノ基などが挙げられる。置換基を有するアリール基としては、例えば、ニトロフェニル基、ニトロナフチル基、シアノフェニル基、シアノナフチル基、ヒドロキシフェニル基、ヒドロキシナフチル基、2-メチルフェニル基、4-メチルフェニル基、ジメチルフェニル基、トリメチルフェニル基、4-i-プロピルフェニル基、4-t-ブチルフェニル基、メチルナフチル基、2-メトキシフェニル基、エトキシフェニル基、ジクロロフェニル基、トリフルオロメチルフェニル基、トリフルオロメチルナフチル基、Ｎ,Ｎ-ジメチルアミノフェニル基等の炭素数６〜２０のものが挙げられる。
【００３１】
Ｒ11〜Ｒ19で表されるアリールオキシ基のアリール基としては、上述のアリール基と同様のものが挙げられる。
Ｒ11〜Ｒ19で表されるアリールチオ基のアリール基としては、上述のアリール基と同様のものが挙げられる。
【００３２】
Ｒ11〜Ｒ19で表される複素環基としては、酸素原子、窒素原子または硫黄原子をヘテロ原子として含む炭素数４〜２０の複素環が挙げられる。具体的には、ピロリル基、チエニル基、フラニル基、オキサゾリル基、イソオキサゾリル基、オキサジアゾリル基、イミダゾリル基、ベンゾオキサゾリル基、ベンゾチアゾリル基、ベンゾイミダゾリル基、ベンゾフラニル基、インドリル基等が挙げられる。これらの置換基としては、ハロゲン原子、炭素数１〜１０のアルキル基、炭素数１〜１０のアルコキシ基、水酸基などが挙げられる。
Ｒ11〜Ｒ19で表される複素環オキシ基の複素環基としては、上述の複素環基と同様のものが挙げられる。
【００３３】
Ｒ11〜Ｒ19で表される置換基を有していてもよいカルバモイル基としては、置換基を有していてもよいアルキル基及び置換基を有していてもよいアリール基からなる群より選ばれる置換基で１又は２置換されていてもよいアミノカルボニル基が挙げられる。
該アミノカルボニル基としては、メチルアミノカルボニル基、エチルアミノカルボニル基、n-プロピルアミノカルボニル基、n-ブチルアミノカルボニル基、n-ヘキシルアミノカルボニル基等の炭素数２〜２０のアルキルアミノカルボニル基；ジメチルアミノカルボニル基、ジエチルアミノカルボニル基、ジ-n-プロピルアミノカルボニル基、ジ-n-ブチルアミノカルボニル基、Ｎ-メチル-Ｎ-シクロヘキシルアミノカルボニル基等の炭素数３〜２０のジアルキルアミノカルボニル基；フェニルアミノカルボニル基、4-メチルフェニルアミノカルボニル基、2-メトキシフェニルアミノカルボニル基、4-n-プロピルフェニルアミノカルボニル基等の炭素数７〜２０のアリールアミノカルボニル基；ヒドロキシエチルアミノカルボニル基、2-ヒドロキシプロピルアミノカルボニル基、3-ヒドロキシプロピルアミノカルボニル基等の炭素数２〜２０のモノ（ヒドロキシアルキル）アミノカルボニル基；ジ（ヒドロキシエチル）アミノカルボニル基、ジ（2-ヒドロキシプロピル）アミノカルボニル基、ジ（3-ヒドロキシプロピル）アミノカルボニル基等の炭素数３〜２０のジ（ヒドロキシアルキル）アミノカルボニル基；メトキシメチルアミノカルボニル基、メトキシエチルアミノカルボニル基、エトキシメチルアミノカルボニル基、エトキシエチルアミノカルボニル基、プロボキシエチルアミノカルボニル基等の炭素数３〜２０のモノ（アルコキシアルキル）アミノカルボニル基；ジ（メトキシエチル）アミノカルボニル基、ジ（エトキシメチル）アミノカルボニル基、ジ（エトキシエチル）アミノカルボニル基、ジ（プロポキシエチル）アミノカルボニル基等の炭素数５〜２０のジ（アルコキシアルキル）アミノカルボニル基等が挙げられる。
【００３４】
Ｒ11〜Ｒ19としては、それぞれ、水素原子、置換基を有していても良いアルキル基及び、置換基を有していても良いアリール基が好ましい。なかでもＲ11〜Ｒ14及びＲ16〜Ｒ19が、それぞれ、水素原子、置換基を有していても良いアルキル基であり、Ｒ15が置換基を有していても良いアリール基である組み合わせが好ましく、特に好ましいのは、Ｒ11〜Ｒ13が、それぞれ、水素原子又は置換基を有していても良い直鎖状または分岐鎖状のアルキル基であり、Ｒ14及びＲ16〜Ｒ19が水素原子であり、Ｒ15が置換基を有していても良いアリール基である組み合わせの場合である。
【００３５】
Ｍ1で示される遷移金属原子としては、一般にピロメテン系化合物とキレート化合物を形成する能力を有する金属原子であればよく、３族（IIIa族）、４族（IVa族）、５族（Va族）、６族（VIa族）、７族（VIIa族）、８族、９族、１０族（VIII族）、１１族（Ib族）、１２族（IIb族）の原子が挙げられ、好ましくは８族〜１２族の原子、なかでも好ましいのはニッケル、コバルト、鉄、ルテニウム、ロジウム、パラジウム、銅、オスミウム、イリジウム、白金、亜鉛であり、更に好ましくはコバルトが挙げられる。
一般式（Ｉ）で表されるジピロメテン系色素の代表例を次に示す。
【００３６】
【化９】
2005077953.tif 000004
【００３７】
上記一般式（Ｉ）で表されるジピロメテン系色素は、例えば、Aust. J. Chem., 11, 1835-45(1965)、Heteroatom Chemistry, Vol. 1, 5, 389(1990)、USP-4, 774, 339、USP-5, 433, 896等に記載の方法あるいはそれらに準じて、ピロール類を縮合、続いて金属キレート形成させることにより製造することができる。
【００３８】
本発明の電子ディスプレイ用フィルターは、一般式（Ｉ）で表されるジピロメテン系色素を含有する層を有するものである。上記一般式（Ｉ）で表されるジピロメテン系色素を含有する層は、各種樹脂に直接溶解あるいは分散させて得られたジピロメテン系色素を含有する樹脂を、射出成形、Ｔダイ成形、カレンダー成形あるいは圧縮形成等の成形技術を用いて成形、フィルム化し、必要に応じて他の透明基板と張り合わせて製造することや、透明基板を構成する樹脂シート又はフィルムに染着させる、もしくは、樹脂シート又はフィルムに染着させて他の透明基板と張り合わせて製造すること、さらには、フィルムあるいはシート等に成形された透明基板に、一般式（Ｉ）のジピロメテン系色素を含む塗工液を塗布する等により製造することができるが、このうち、透明基板上に塗工液を塗布する方法が好ましい。
【００３９】
上記透明基板の材質としては、実質的に透明であって、吸収、拡散が大きくない材料であれば特に制限はない。具体的な例としては、ガラス、ポリオレフィン樹脂、非晶質ポリオレフィン樹脂、ポリエステル樹脂、ポリカーボネート樹脂、ポリ（メタ）アクリル酸エステル樹脂、ポリスチレン、ポリ塩化ビニル、ポリ酢酸ビニル、ポリアリレート樹脂、ポリエーテルサンホン樹脂等を挙げることができる。これらの中では、特に非晶質ポリオレフィン樹脂、ポリエステル樹脂、ポリカーボネート樹脂、ポリ（メタ）アクリル酸エステル樹脂、ポリアリレート樹脂、ポリエーテルサンホン樹脂等が好ましい。上記の樹脂には、一般的に公知である添加剤、耐熱老化防止剤、滑剤、帯電防止剤等を配合することができる。また、上記樹脂は、公知の射出形成、Ｔダイ成形、カレンダー成形あるいは圧縮形成等の方法や、有機溶剤に溶融させてキャスティングする方法などを用い、フィルム又はシート（板）に成形される。その厚みとしては、目的に応じて１０μｍ〜５ｍｍの範囲が望ましい。かかる透明基板を構成する基材は未延伸でも延伸されていても良い。また、他の基材と積層されていても良い。更に該透明基板は、コロナ放電処理、火炎処理、プラズマ処理、グロー放電処理、祖面化処理、薬品処理等の従来公知の方法による表面処理や、アンカーコート剤やプライマー等のコーティングを施しても良い。
【００４０】
塗工液は、一般式（Ｉ）のジピロメテン系色素をバインダーと共に有機溶剤に溶解させる方法、又は粒径０．１〜３μｍに微粒化したジピロメテン系色素を、必要に応じ分散剤を用い、バインダーと共に溶剤に分散させる方法により調製される。このとき溶剤に溶解又は分散されるジピロメテン系色素、バインダー及び分散剤の塗工液に対する含有量は通常０．５〜５０重量％で、ジピロメテン系色素、バインダー及び分散剤の中でジピロメテン系色素が占める割合は、通常０．０５〜５０重量％、好ましくは０．１〜２０重量％である。
【００４１】
必要に応じて使用される分散剤としては、ポリビニルブチラール樹脂、フェノキシ樹脂、ロジン変性フェノール樹脂、石油樹脂、硬化ロジン、ロジンエステル、マレイン化ロジン、ポリウレタン樹脂等が挙げられる。その使用量は、ジピロメテン系色素に対して通常０．５〜１５０重量倍、好ましくは、０．５〜２０重量倍である。
【００４２】
使用されるバインダーとしては、ポリメチルメタクリレート樹脂、ポリエチルアクリレート樹脂等のアクリレート系樹脂、ポリカーボネート樹脂、エチレンービニルアルコール共重合樹脂、エチレンー酢酸ビニル共重合樹脂、ＡＢＳ樹脂、ポリエステル樹脂、塩酢ビ樹脂、ポリビニルブチラール樹脂、ＰＶＰＡ、ポリスチレン系樹脂、フェノール系樹脂、フェノキシ系樹脂、ポリスルフォン、ナイロン、セルロース系樹脂、酢酸セルロース系樹脂等が挙げられる。その使用量はジピロメテン系色素に対して、通常１０〜５００重量倍、好ましくは５０〜３５０重量倍である。
【００４３】
一般式（Ｉ）のジピロメテン系色素を含む塗工液のコーティングは、ディッピング法、フローコート法、スプレー法、バーコート法、グラビアコート法、ロールコート法、プレードコート法及びエアーナイフコート法等の公知の塗工方法でコーティングされる。このとき膜厚は、通常０．１〜３０μｍ、好ましくは０．５〜１０μｍとなるようコーティングされる。
【００４４】
本発明の電子ディスプレイ用フィルターは、より色純度、コントラストを向上させるため、５７０〜６０５ｎｍに吸収極大を有する化合物を含有することができる。特にプラズマディスプレイパネル（ＰＤＰ）においては、その構造上、ネオン発光による５７０〜６０５ｎｍ波長領域の不要光が強い為、ＰＤＰ用フィルターでは５７０〜６０５ｎｍに吸収極大を有する化合物の含有が必須である。５７０〜６０５ｎｍに吸収極大を有する化合物の例としては一般式（ＩＩ）で表されるテトラアザポルフィリン系化合物、一般式（ＩＩＩ）で表されるスクアリリウム系化合物及び一般式（ＩＶ）で表されるシアニン系色素等が挙げられる。
【００４５】
【化１０】
2005077953.tif 000005
【００４６】
〔式（ＩＩ）中、Ｒ21 〜Ｒ28は、各々独立に、水素原子、ハロゲン原子、ニトロ基、シアノ基、水酸基、アミノ基、置換基を有していても良いアルキル基、置換基を有していても良いアルコキシ基、置換基を有していても良いアリール基、置換基を有していても良いアリールオキシ基、置換基を有していても良いアルキルアミノ基、置換基を有していても良いジアルキルアミノ基、置換基を有していても良いアルキルチオ基、又は置換基を有していても良いアリールチオ基を示し、また、Ｒ21とＲ22、Ｒ23とＲ24、Ｒ25とＲ26、Ｒ27とＲ28は、各々連結して脂肪族炭素環を形成しても良い。Ｍ2は、２個の水素原子、２価の金属原子、３価１置換金属原子、４価２置換金属原子又はオキシ金属原子を示す。〕
【００４７】
前記一般式（ＩＩ）において、ハロゲン原子としては、例えば、弗素原子、塩素原子、臭素原子等が挙げられ、アルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基、シクロプロピル基、シクロブチル基、シクロペンチル基、シクロヘキシル基、シクロヘプチル基等の炭素数１〜２０の直鎖状、分岐鎖状若しくは環状のものが挙げられ、アルコキシ基としては、例えば、メトキシ基、エトキシ基、プロポキシ基、ブトキシ基、ペンチルオキシ基、ヘキシルオキシ基、ヘプチルオキシ基、オクチルオキシ基、デシルオキシ基、ウンデシルオキシ基、ドデシルオキシ基、トリデシルオキシ基、ペンタデシルオキシ基等の炭素数１〜２０の直鎖状若しくは分岐鎖状のものが挙げられ、アリール基としては、例えば、フェニル基、ナフチル基等の炭化水素系アリール基、又は、チエニル基、フリル基、又はピリジル基等の複素環系アリール基が挙げられ、アリールオキシ基としては、例えば、フェノキシ基、ナフチルオキシ基等の炭化水素系アリールオキシ基、又はチエニルオキシ基、フリルオキシ基、又はピリジルオキシ基等の複素環系アリールオキシ基等が挙げられ、アルキルアミノ基又はジアルキルアミノ基としては、メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖状若しくは分岐鎖状アルキル基で１置換又は２置換されたアミノ基挙げられ、アルキルチオ基としては、例えば、メチルチオ基、エチルチオ基、プロピルチオ基、ブチルチオ基、ペンチルチオ基、ヘキシルチオ基、ヘプチルチオ基、オクチルチオ基、デシルチオ基、ウンデシルチオ基、ドデシルチオ基、トリデシルチオ基、ペンタデシルチオ基等の炭素数１〜２０の直鎖状若しくは分岐鎖状のものが挙げられ、アリールチオ基としては、例えば、フェニルチオ基、ナフチルチオ基が挙げられる。
【００４８】
又、前記アルキル基、アルコキシ基、アリール基、アリールオキシ基、アルキルアミノ基、ジアルキルアミノ基、アルキルチオ基、及びアリールチオ基の置換基としては、例えば、メチル基、エチル基、プロピル基、ブチル基、ペンチル基、ヘキシル基、ヘプチル基、オクチル基、デシル基、シクロプロピル基、シクロブチル基、シクロペンチル基、シクロヘキシル基、シクロヘプチル基等の炭素数１〜１０のアルキル基；メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基；水酸基；又は、弗素原子、塩素原子、臭素原子等のハロゲン原子等が挙げられる。
【００４９】
又、Ｒ21とＲ22、Ｒ23とＲ24、Ｒ25とＲ26、Ｒ27とＲ28が各々連結して、−（ＣＨ2）3−，−（ＣＨ2）4−，−（ＣＨ2）5−等の脂肪族炭素環を形成していても良い。
【００５０】
前記一般式（ＩＩ）において、Ｒ21〜Ｒ28としては、前記の中で、（１）アルコキシ基或いはハロゲン原子を置換基として有していてもよい、直鎖状若しくは分岐鎖状アルキル基、（２）直鎖状若しくは分岐鎖状アルキル基を置換基として有していてもよいシクロアルキル基、（３）アルキル基、アルコキシ基或いはハロゲン原子を置換基として有していてもよい、アリール基、（４）ハロゲン原子、又は（５）それぞれが連結して脂肪族炭素環を形成している場合が好ましく、炭素数１〜８の直鎖状若しくは分岐鎖状アルキル基或いは連結して−（ＣＨ2）3−又は−（ＣＨ2）4−を形成している場合が更に好ましく、Ｒ21〜Ｒ28の少なくとも４個の基がアルキル基で、残りが水素原子の場合、又は、Ｒ21とＲ22、Ｒ23とＲ24、Ｒ25とＲ26、Ｒ27とＲ28が各々連結して、−（ＣＨ2）3−，−（ＣＨ2）4−，−（ＣＨ2）5−等の脂肪族炭素環を形成した場合が特に好ましい。
【００５１】
前記一般式（ＩＩ）におけるＭ2としては、２個の水素原子；或いは、無機化学命名法１９９０年規則に基づく周期律表の２属、３属、４属、８属、９属、１０属、１１属、１２属、１３属、１４属又は１５属に属する元素から選ばれる、２価の金属原子、３価１置換金属原子、４価２置換金属原子又はオキシ金属原子を示すが、その具体例として、２価の金属原子としては、Ｃｕ，Ｚｎ，Ｆｅ，Ｃｏ，Ｎｉ，Ｒｕ，Ｒｄ，Ｐｄ，Ｍｎ，Ｓｎ，Ｍｇ，Ｔｉ等が挙げられ、３価１置換金属原子としては、Ａｌ−Ｃｌ，Ｇａ−Ｃｌ，Ｉｎ−Ｃｌ，Ｆｅ−Ｃｌ，Ｒｕ−Ｃｌ等のハロゲン原子、水酸基又はアルコキシ基で１置換された金属原子が挙げられ、４価２置換金属としては、ＳｉＣｌ2，ＧｅＣｌ2，ＴｉＣｌ2，ＳｎＣｌ2，Ｓｉ（ＯＨ）2，Ｇｅ（ＯＨ）2，Ｍｎ（ＯＨ）2，Ｓｎ（ＯＨ）2等のハロゲン原子、水酸基又はアルコキシ基で２置換された金属原子が挙げられ、オキシ金属としては、ＶＯ，ＭｎＯ，ＴｉＯ等が挙げられる。このうち好ましくは、ＶＯ、Ｃｕ、Ｎｉ、Ｃｏが挙げられ、更に好ましくは、ＶＯ及びＣｕが挙げられる。
【００５２】
以下に、一般式（ＩＩ）で表されるテトラアザポリフィリン系化合物の好ましい具体例を示す。
【００５３】
【化１１】
2005077953.tif 000006
【００５４】
【化１２】
2005077953.tif 000007
【００５５】
〔式（ＩＩＩ）中、Ｒ31は、各々独立に、置換基を有していてもよいアルキル基、置換基を有していてもよいアルコキシ基、置換基を有していてもよいシクロアルキル基、置換基を有していてもよいアリール基、置換基を有していてもよいアリールオキシ基、又はハロゲン原子を示し、Ｗ3−Ｘ3−Ｒ32中のＷ3は、各々独立に、イミノ基、アルキルイミノ基、又は酸素原子を示し、Ｘ3は、各々独立に、カルボニル基、又はスルホニル基を示し、Ｒ32は、各々独立に、１価基、又は水素原子を示し、ｌ3及びｌ3'はそれぞれ独立して０〜５の整数、ｍ3及びｍ3'はそれぞれ独立して０〜５の整数、ｎ及びｎ3'はｎ3＋ｎ3'≧１である０〜３の整数で、ｌ3＋ｍ3＋ｎ3≦５、及びｌ3'＋ｍ3'＋ｎ3'≦５であり、ベンゼン環上にＲ31及びＷ3−Ｘ3−Ｒ32がそれぞれ複数個存在するとき、Ｒ31及びＷ3−Ｘ3−Ｒ32のそれぞれは、一方のベンゼン環において、又、他方のベンゼン環との間で、互いに異なっていてもよい。〕
【００５６】
一般式（ＩＩＩ）におけるＲ31のアルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖状若しくは分岐鎖状のものが、又、Ｒ31のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、デシルオキシ基、ウンデシルオキシ基、ドデシルオキシ基、トリデシルオキシ基、ペンタデシルオキシ基等の炭素数１〜２０の直鎖状若しくは分岐鎖状のものが、又、Ｒ31のシクロアルキル基としては、例えば、シクロプロピル基、シクロブチル基、シクロペンチル基、シクロヘキシル基、シクロヘプチル基等の炭素数３〜２０のものが、又、Ｒ31のアリール基としては、例えば、フェニル基、ナフチル基等が、又、Ｒ31のアリールオキシ基としては、例えば、フェノキシ基、ナフチルオキシ基等が、又、Ｒ31のハロゲン原子としては、例えば、弗素原子、塩素原子、臭素原子等が、それぞれ挙げられる。
【００５７】
又、前記アルキル基、アルコキシ基、シクロアルキル基、アリール基、及びアリールオキシ基の置換基としては、例えば、メチル基、エチル基、プロピル基、ブチル基、ペンチル基、ヘキシル基、ヘプチル基、オクチル基、デシル基等の炭素数１〜１０の直鎖状または分岐鎖状のアルキル基、メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基、シクロプロピル基、シクロブチル基、シクロペンチル基、シクロヘキシル基、シクロヘプチル基等の炭素数３〜１０のシクロアルキル基、水酸基、又は、弗素原子、塩素原子、臭素原子等のハロゲン原子等が挙げられる。
【００５８】
前記一般式（ＩＩＩ）において、Ｒ31としては、前記の中で、（１）アルコキシ基、水酸基、或いはハロゲン原子を置換基として有していてもよい直鎖状若しくは分岐鎖状アルキル基、（２）アルコキシ基を置換基として有していてもよい直鎖状若しくは分岐鎖状アルコキシ基、（３）アルキル基、アルコキシ基、或いはハロゲン原子を置換基として有していてもよいアリール基、（４）アルキル基、アルコキシ基、或いはハロゲン原子を置換基として有していてもよいアリールオキシ基、又は（５）ハロゲン原子、が好ましく、炭素数１〜８の直鎖状若しくは分岐鎖状アルキル基、又は炭素数１〜８の直鎖状若しくは分岐鎖状アルコキシ基が特に好ましい。
【００５９】
又、前記一般式（ＩＩＩ）におけるＷ3−Ｘ3−Ｒ32中のＷ3のアルキルイミノ基におけるアルキル基としては、炭素数１〜８の直鎖状若しくは分岐鎖状のものが好ましく、Ｗ3としては、イミノ基、又はアルキルイミノ基が好ましく、イミノ基が特に好ましい。尚、Ｘ3がスルホニル基であるとき、Ｒ32は水素原子ではない。
【００６０】
又、Ｗ3−Ｘ3−Ｒ32中のＲ32の１価基としては、例えば、前記Ｒ31におけるアルキル基として挙げたと同様のアルキル基、前記Ｒ31におけるアルコキシ基として挙げたと同様のアルコキシ基、前記Ｒ31におけるシクロアルキル基として挙げたと同様のシクロアルキル基、前記Ｒ31におけるアリール基として挙げたと同様のアリール基、前記Ｒ31におけるアリールオキシ基として挙げたと同様のアリールオキシ基、並びに、アミノ基、及び、３−ピリジル基、２−フリル基、２−テトラヒドロフリル基、２−チエニル基等の複素環基等が挙げられ、これらのアルキル基、アルコキシ基、シクロアルキル基、アリール基、アリールオキシ基、アミノ基、及び複素環基は、例えば、前記Ｒ31におけるアルキル基、アルコキシ基、シクロアルキル基、アリール基、及びアリールオキシ基の置換基として挙げたと同様の、炭素数１〜１０のアルキル基、炭素数１〜１０のアルコキシ基、炭素数３〜１０のシクロアルキル基、又はハロゲン原子、或いはアリール基等を置換基として有していてもよい。
【００６１】
前記Ｒ32のうち、前記Ｒ31の好ましい基と同様のアルキル基、炭素数１〜８のアルキル基で置換されていても良いフェニル基、炭素数１〜８のアルキル基で置換されていても良いフェニル基が、炭素数１〜８のアルキル基で置換されていても良い２−フリル基、炭素数１〜８のアルキル基で置換されていても良い２−テトラヒドロフリル基が、又は、炭素数１〜８のアルキル基で置換されていても良いシクロヘキシル基が特に好ましい。
【００６２】
又、前記一般式において、ｌ3及びｌ3’はそれぞれ独立して０〜５の整数、ｍ3及びｍ3’はそれぞれ独立して０〜５の整数、ｎ3及びｎ3’はｎ3＋ｎ3'≧１である０〜３の整数で、ｌ3＋ｍ3＋ｎ3≦５、及びｌ3’＋ｍ3’＋ｎ3’≦５であるが、ｌ3及びｌ3’は１以上で、ｌ3＋ｍ3＋ｎ3≦３、及びｌ3’＋ｍ3’＋ｎ3’≦３であるのが好ましく、より好ましくは、ｍ3及びｍ3’は０である。又、ベンゼン環上にＲ31及びＷ3−Ｘ3−Ｒ32がそれぞれ複数個存在するとき、Ｒ31及びＷ3−Ｘ3−Ｒ32のそれぞれは、一方のベンゼン環において、又、他方のベンゼン環との間で、互いに異なっていてもよい。又、一方のベンゼン環上に隣接して存在するＲ31同士が互いに連結してアルカンジイル基やアルキレンジオキシ基等となって環状構造を形成していてもよい。
【００６３】
５７０〜６０５ｎｍに吸収極大を有する一般式（ＩＩＩ）のスクアリリウム系化合物の好ましい例としては、特願平２００１−２６５２７６号で例示した化合物が挙げられるが、そのうち特に好ましい具体例を以下に示す。
【００６４】
【化１３】
2005077953.tif 000008
【００６５】
【化１４】
2005077953.tif 000009
【００６６】
〔（式（ＩＶ）中、−Ｔ4−は、各々独立に、酸素原子、硫黄原子、又は、−ＣＲ41Ｒ42−で表される基（Ｒ41及びＲ42は各々独立に、炭素数１〜４のアルキル基を表し、Ｒ41とＲ42は連結して酸素、硫黄、窒素原子を含んでもよい３〜６員環を形成していてもよい。）であり、Ｙ4は各々独立に有機基を表し、Ｘ4は、各々独立に、水素原子、ハロゲン原子、アルキル基、又は、アリール基を表し、Ｒ40は、各々独立に、ハロゲン原子、ニトロ基、アルコキシ基、又は、アリール基を表し、ｋ4は、１又は２を表し、Ａｎ4m4-はｍ4価のアニオンを表し、ｍ4は１又は２の整数を表し、ｐ4は電荷を中性に保つ係数を表す。〕
【００６７】
上記一般式（ＩＶ）において、式中、Ｒ41、Ｒ42で表される炭素数１〜４のアルキル基としては、例えば、メチル、エチル、プロピル、イソプロピル、ブチル、第二ブチル、第三ブチル、イソブチル等が挙げられる。また、Ｒ41とＲ42が連結して形成する３〜６員環は、酸素、硫黄、窒素原子を含んでもよく、シクロプロパン−１，１−ジイル、シクロブタン−１，１−ジイル、２，４−ジメチルシクロブタン−１，１−ジイル、３−ジメチルシクロブタン−１，１−ジイル、シクロペンタン−１，１−ジイル、シクロヘキサン−１，１−ジイル、テトラヒドロピラン−４，４−ジイル、チアン−４，４−ジイル、ピペリジン−４，４−ジイル、Ｎ−置換ピペリジン−４，４−ジイル、モルホリン−２，２−ジイル、モルホリン−３，３−ジイル、Ｎ−置換モルホリン−２，２−ジイル、Ｎ−置換モルホリン−３，３−ジイル等が挙げられ、これらは置換基を有していてもよい。
【００６８】
Ｙ4で表される有機基としては特に制限を受けず、例えば、メチル、エチル、プロピル、イソプロピル、ブチル、第二ブチル、第三ブチル、イソブチル、アミル、イソアミル、第三アミル、ヘキシル、シクロヘキシル、シクロヘキシルメチル、２−シクロヘキシルエチル、ヘプチル、イソヘプチル、第三ヘプチル、ｎ−オクチル、イソオクチル、第三オクチル、２−エチルヘキシル、ノニル、イソノニル、デシル、ドデシル、トリデシル、テトラデシル、ペンタデシル、ヘキサデシル、ペプタデシル、オクタデシル等の直鎖状、分岐鎖状、もしくは、環状の炭素数１〜８のアルキル基；ビニル、１−メチルエテニル、２−メチルエテニル、プロペニル、ブテニル、イソブテニル、ペンテニル、ヘキセニル、ヘプテニル、オクテニル、デセニル、ぺンタデセニル、１−フェニルプロペン−３−イル等のアルケニル基；フェニル、ナフチル、２−メチルフェニル、３−メチルフェニル、４−メチルフェニル、４−ビニルフェニル、３−イソプロピルフェニル、４−イソプロピルフェニル、４−ブチルフェニル、４−イソブチルフェニル、４−第三ブチルフェニル、４−ヘキシルフェニル、４−シクロヘキシルフェニル、４−オクチルフェニル、４−（２−エチルヘキシル）フェニル、４−ステアリルフェニル、２，３−ジメチルフェニル、２，４−ジメチルフェニル、２，５−ジメチルフェニル、２，６−ジメチルフェニル、３，４−ジメチルフェニル、３，５−ジメチルフェニル、２，４−ジ第三ブチルフェニル、シクロヘキシルフェニル等のアルキルアリール基；ベンジル、フェネチル、２−フェニルプロパン−２−イル、ジフェニルメチル、トリフェニルメチル、スチリル、シンナミル等のアリールアルキル基；２−メトキシエチル、３−メトキシプロピル、４−メトキシブチル、２−ブトキシエチル、メトキシエトキシエチル、メトキシエトキシエトキシエチル、３−メトキシブチル、２−フェノキシエチル、２−メチルチオエチル、２−フェニルチオエチル等のアルキル基、アルケニル基、アルキルアリール基またはアリールアルキル基がエーテル結合、チオエーテル結合で中断されたもの等が挙げられる。更にこれらの基は、アルコキシ基、アルケニル基、ニトロ基、シアノ基、ハロゲン原子等で置換されていてもよい。
【００６９】
Ｘ4で表されるハロゲン原子としては、フッ素、塩素、臭素、及び、ヨウ素原子が挙げられ、アルキル基及びアリール基としては、Ｙ4の説明の項で例示したものと同様のものが挙げられる。
【００７０】
Ｒ40で表されるハロゲン原子としては、フッ素、塩素、臭素、及びヨウ素原子が挙げられ、アルコキシ基としては、メトキシ基、エトキシ基、ｎ−プロポキシ基、ｎ−ブトキシ基、iso−ブチルオキ基、ｎ−ヘキシシルオキシ基、シクロヘキシルオキシ基、ｎ−オクチルオキシ基等の炭素数１〜８の直鎖状、分岐鎖状又は環状のアルコキシ基が挙げられ、アリール基としては、Ｙ4の項で例示したものと同様なものが挙げられる。
【００７１】
Ａｎ4m4-で表されるアニオンとしては、例えば、一価のものとして、塩素アニオン、臭素アニオン、ヨウ素アニオン、フッ素アニオン等のハロゲンアニオン；過塩素酸アニオン、塩素酸アニオン、チオシアン酸アニオン、六フッ化リンアニオン、六フッ化アンチモンアニオン、四フッ化ホウ素アニオン等の無機系アニオン、ベンゼンスルホン酸アニオン、トルエンスルホン酸アニオン、トリフルオロメタンスルホン酸アニオン等の有機スルホン酸アニオン；オクチルリン酸アニオン、ドデシルリン酸アニオン、オクタデシルリン酸アニオン、フェニルリン酸アニオン、ノニルフェニルリン酸アニオン、２，２’−メチレンビス（４，６−ジ第三ブチルフェニル）ホスホン酸アニオン等の有機リン酸系アニオン、ビス（トリフルオロメチルスルホニル）イミドアニオン等のスルホニルイミド系アニオン等が挙げられ、二価のものとしては、例えば、ベンゼンジスルホン酸アニオン、ナフタレンジスルホン酸アニオン等が挙げられる。また、金属錯体化合物であるクエンチャーアニオンも必要に応じて用いることができる。
【００７２】
上記のクエンチャーアニオンとしては、特開昭６０−２３４８９２号公報、及び、特開２００２−３５０６３２号公報に記載されたようなアニオンが挙げられる。例えば、下記一般式（Ａ）及び（Ｂ）で表されるアニオンが挙げられる。
【００７３】
【化１５】
2005077953.tif 000010
【００７４】
（式中、Ｒ43及びＲ44は各々独立に水素原子、ハロゲン原子、アルキル基、アリール基、−SO2-Z4基（Z4は、ジアルキルアミノ基、ジアリールアミノ基、ピペリジノ基、モルフォリノ基を表す。）表し、ａ4及びｂ4は各々独立に、０〜３の整数を表す。Ｒ45、Ｒ46、Ｒ47及びＲ48は、各々独立に、アルキル基、アルキルフェニル基、アルコキシフェニル基又はハロゲン化フェニル基を表し、Ｍ4は、ニッケル又は銅原子を表す。）
【００７５】
上記一般式（Ａ）において、置換基Ｒ43、Ｒ44のハロゲン原子としては、フッ素、塩素、臭素、及びヨウ素原子が挙げられ、アルキル基、及び、アリール基としては、上記一般式（ＩＶ）の置換基Ｙ4の項で例示したものと同様なものが挙げられる。
Ｚ4のジアルキルアミノ基のアルキル基としては、炭素数１〜８の直鎖又は分岐鎖状のアルキル基が挙げられ、Ｚ4のジアリールアミノ基のアリール基としては、フッ素原子、塩素原子、臭素原子で置換されていても良いフェニル基が挙げられる。
【００７６】
置換基Ｒ43及びＲ44としては、電子吸引性基が好ましく、特に、2,3,5-トリクロル基、2,3-ジクロル基、2,4-ジクロル基、2,5-ジクロル基、―SO2Z4が好ましい。Z4としては、ジメチルアミノ基、ジエチルアミノ基、ジ-n-プロピルアミノ基、ジ-n-ブチルアミノ基、ピペリジノ基、モルフォリノ基が好ましく、特に、モルフォリノ基が好ましい。
【００７７】
上記一般式（Ｂ）において、Ｒ45、Ｒ46、Ｒ47及びＲ48のアルキル基、アルキルフェニル基のアルキル基としては、上記一般式（ＩＶ）の置換基Ｙ4の項で例示したものと同様なものが挙げられる。アルコキシフェニル基のアルコキシ基としては、上記一般式（ＩＶ）の置換基Ｒ40の項で例示したものと同様なものが挙げられ、ハロゲン化フェニル基のハロゲンとしては、フッ素原子、塩素原子、臭素原子、及びヨウ素原子が挙げられる。
【００７８】
５７０〜６０５ｎｍに吸収極大を有する一般式（ＩＶ）のシアニン系色素の好適な具体例を以下の表−１に挙げる。
【００７９】
【表１】
2005077953.tif 000011
【００８０】
上記に挙げた化合物のうち、５７０〜６０５ｎｍに吸収極大を有する化合物としてより好ましいものは、一般式（ＩＩ）で表されるテトラアザポルフィリン系化合物と一般式（ＩＩＩ）で表されるスクアリリウム系化合物である。
【００８１】
本発明の電子ディスプレイ用フィルターは、より色純度、コントラストを向上させるため、３８０〜４２０ｎｍに吸収極大を有する化合物を含有することができる。３８０〜４２０ｎｍに吸収極大を有する化合物の例としては下記一般式（Ｖ）の化合物が挙げられる。
【００８２】
【化１６】
2005077953.tif 000012
【００８３】
〔式（Ｖ）中、Ｒ53は、置換基を有していてもよいアルキル基、置換基を有していてもよいシクロアルキル基、置換基を有していてもよいアリール基、又は水素原子を示し、Ｒ51は、各々独立に、置換基を有していてもよいアルキル基、置換基を有していてもよいアルコキシ基、置換基を有していてもよいアルコキシカルボニル基、置換基を有していてもよいシクロアルキル基、置換基を有していてもよいアリール基、置換基を有していてもよいアリールオキシ基、置換基を有していてもよいアリールオキシカルボニル基、置換基を有していてもよいアミノ基、又は水素原子を示し、Ｒ52は、各々独立に、置換基を有していてもよいアルキル基、置換基を有していてもよいシクロアルキル基、置換基を有していてもよいアリール基、又は水素原子を示し、Ｙ5は、各々独立に、酸素原子、又はイミノ基を示し、これらのＲ51、Ｒ52、及びＹ5は、両方のピラゾール環の間で互いに異なっていてもよい。〕
【００８４】
前記一般式（Ｖ）における置換基Ｒ53及びＲ52のアルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖状若しくは分岐鎖状のものが、又、Ｒ53及びＲ52のシクロアルキル基としては、例えば、シクロプロピル基、シクロブチル基、シクロペンチル基、シクロヘキシル基、シクロヘプチル基等の炭素数３１〜２０のものが、又、Ｒ53及びＲ52のアリール基としては、例えば、フェニル基、ナフチル基等が、それぞれ挙げられる。
【００８５】
又、Ｒ53及びＲ52のアルキル基、シクロアルキル基、及びアリール基の置換基としては、例えば、メチル基、エチル基、プロピル基、ブチル基、ペンチル基、ヘキシル基、ヘプチル基、オクチル基、デシル基等の炭素数１〜１０のアルキル基、メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基、フェニル基、ナフチル基等のアリール基、フェノキシ基、ナフチルオキシ基等のアリールオキシ基、スルホンアミド基、アルキルスルホンアミド基、ジアルキルスルホンアミド基、ニトロ基、水酸基、及び、弗素原子、塩素原子、臭素原子等のハロゲン原子等が挙げられる。
【００８６】
前記一般式（Ｖ）において、Ｒ53及びＲ52としては、前記の中で、（１）アルコキシ基、アリール基、アリールオキシ基、水酸基、或いはハロゲン原子を置換基として有していてもよい直鎖状若しくは分岐鎖状アルキル基、（２）アルキル基、アルコキシ基、スルホンアミド基、アルキルスルホンアミド基、ジアルキルスルホンアミド基、ニトロ基、水酸基、或いはハロゲン原子を置換基として有していてもよいアリール基、又は（３）水素原子、が好ましく、特に、Ｒ53としては、水素原子、炭素数１〜８の直鎖状若しくは分岐鎖状アルキル基、又はフェニル基が好ましく、Ｒ52としては、炭素数１〜８の直鎖状若しくは分岐鎖状アルキル基、又は、アルキル基或いはハロゲン原子を置換基として有していてもよいフェニル基が好ましい。
【００８７】
又、前記一般式（Ｖ）におけるＲ51のアルキル基としては、前記Ｒ53及びＲ52におけるアルキル基として挙げたと同様のものが、又、Ｒ51のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、デシルオキシ基、ウンデシルオキシ基、ドデシルオキシ基、トリデシルオキシ基、ペンタデシルオキシ基等の炭素数１〜２０の直鎖状若しくは分岐鎖状のものが、又、Ｒ51のアルコキシカルボニル基としては、前記アルコキシ基を有するカルボニル基が、又、Ｒ51のシクロアルキル基としては、前記Ｒ53及びＲ52におけるシクロアルキル基として挙げたと同様のものが、又、アリール基としては、前記Ｒ53及びＲ52におけるアリール基として挙げたと同様のものが、又、Ｒ51のアリールオキシ基としては、フェノキシ基、ナフチルオキシ基等が、又、Ｒ51のアリールオキシカルボニル基としては、前記アリールオキシ基を有するカルボニル基が、それぞれ挙げられる。
【００８８】
又、Ｒ51のアルキル基、アルコキシ基、アルコキシカルボニル基、シクロアルキル基、アリール基、アリールオキシ基、アリールオキシカルボニル基、及びアミノ基の置換基としては、例えば、前記Ｒ53及びＲ52におけるアルキル基、シクロアルキル基、及びアリール基の置換基として挙げたと同様のアルキル基、同じくアルコキシ基、同じくアリール基、同じくアリールオキシ基、同じくスルホンアミド基、同じくアルキルスルホンアミド基、同じくジアルキルスルホンアミド基、同じくニトロ基、同じくハロゲン原子、並びに、プロピオニル基、ブチリル基、ベンゾイル基等のアシル基、メタンスルホニル基、ベンゼンスルホニル基等のスルホニル基、水酸基、及びハロゲン原子等が挙げられる。
【００８９】
前記一般式（Ｖ）において、Ｒ51としては、前記の中で、（１）アルコキシ基、アリール基、アリールオキシ基、水酸基、或いはハロゲン原子を置換基として有していてもよい直鎖状若しくは分岐鎖状アルキル基、（２）アルコキシ基を置換基として有していてもよい直鎖状若しくは分岐鎖状アルコキシ基、（３）アルコキシ基を置換基として有していてもよいアルコキシ基を有するカルボニル基、（４）アルキル基、アルコキシ基、スルホンアミド基、アルキルスルホンアミド基、ジアルキルスルホンアミド基、ニトロ基、水酸基、或いはハロゲン原子を置換基として有していてもよいアリール基、（５）アルキル基、或いはアルコキシ基を置換基として有していてもよいアリール基を有するカルボニル基、又は（６）アルキル基、アシル基、又はスルホニル基を置換基として有していてもよいアミノ基、が好ましく、特に、炭素数１〜８の直鎖状若しくは分岐鎖状アルキル基が好ましい。
【００９０】
又、前記一般式（Ｖ）において、Ｙ5としては、酸素原子又はイミノ基を表すが、酸素原子が好ましい。更に、本発明において、前記一般式（Ｖ）で表されるジピラゾリルメチン系化合物としては、前記Ｒ51、Ｒ52、及びＹ5は、両方のピラゾール環の間で互いに異なっていてもよいが、メチン基を挟んで左右対象であるものが好ましい。
【００９１】
３８０〜４２０ｎｍに吸収極大を有する化合物としては、一般式（Ｖ）の化合物の内、Ｙ5が酸素原子、Ｒ53が水素原子で、Ｒ51及びＲ52が、置換基を有していても良いアルキル基、又は置換基を有していても良いアリール基の場合が特に好ましい。
その好ましい具体例を以下に示す。
【００９２】
【化１７】
2005077953.tif 000013
【００９３】
本発明の電子ディスプレイ用フィルターは、より色純度、コントラストを向上させるため、４８０〜５２０ｎｍに吸収極大を有する化合物を含有することができる。４８０〜５２０ｎｍに吸収極大を有する化合物の例としては一般式（ＶＩ）で表されるスクアリリウム系化合物、一般式（ＶＩＩ）で表されるジピロメテン系化合物等が挙げられる。
【００９４】
【化１８】
2005077953.tif 000014
【００９５】
〔式（ＶＩ）中、Ｒ61は、各々独立に、置換基を有していてもよいアルキル基、置換基を有していてもよいシクロアルキル基、置換基を有していてもよいアリール基、又は水素原子を示し、Ｒ62は、各々独立に、置換基を有していてもよいアルキル基、置換基を有していてもよいアルコキシ基、置換基を有していてもよいアルコキシカルボニル基、置換基を有していてもよいシクロアルキル基、置換基を有していてもよいアリール基、置換基を有していてもよいアリールオキシ基、置換基を有していてもよいアリールオキシカルボニル基、置換基を有していてもよいアミノ基、水酸基、又は水素原子を示し、これらのＲ61及びＲ62は、両方のピラゾール環の間で互いに異なっていてもよい。〕
【００９６】
前記一般式（ＶＩ）における置換基Ｒ61のアルキル基としては、例えば、メチル基、エチル基、プロピル基、ブチル基、ペンチル基、ヘキシル基、ヘプチル基、オクチル基、デシル基、ウンデシル基、ドデシル基、トリデシル基、ペンタデシル基等の炭素数１〜２０の直鎖状若しくは分岐鎖状のものが、又、Ｒ61のシクロアルキル基としては、例えば、シクロプロピル基、シクロブチル基、シクロペンチル基、シクロヘキシル基、シクロヘプチル基等の炭素数３〜２０のものが、又、Ｒ61のアリール基としては、例えば、フェニル基、ナフチル基等が、それぞれ挙げられる。
【００９７】
又、前記アルキル基、前記シクロアルキル基、及びアリール基の置換基としては、例えば、メチル基、エチル基、プロピル基、ブチル基、ペンチル基、ヘキシル基、ヘプチル基、オクチル基、デシル基等の炭素数１〜１０のアルキル基、メトキシ基、エトキシ基、プロポキシ基、ブトキシ基、ペンチルオキシ基、ヘキシルオキシ基、ヘプチルオキシ基、オクチルオキシ基、デシルオキシ基等の炭素数１〜１０のアルコキシ基、フェニル基、ナフチル基等のアリール基、フェノキシ基、ナフチルオキシ基等のアリールオキシ基、ホルムアミノ基、アルキルカルボニルアミノ基、アルキルスルフォニルアミノ基、アミノカルボニル基、アルキルアミノカルボニル基、ジアルキルアミノカルボニル基、アミノスルフォニル基、アルキルアミノスルフォニル基、ジアルキルアミノスルフォニル基、アミノ基、ニトロ基、水酸基、及び、弗素原子、塩素原子、臭素原子等のハロゲン原子等が挙げられる。
【００９８】
前記一般式（ＶＩ）において、Ｒ61としては、前記の中で、（１）アルコキシ基、アリール基、アリールオキシ基、水酸基、或いはハロゲン原子を置換基として有していてもよい直鎖状若しくは分岐鎖状アルキル基、又は（２）アルキル基、アルコキシ基、アミノ基、アルキルカルボニルアミノ基、アルキルスルフォニルアミノ基、ニトロ基、水酸基、或いはハロゲン原子を置換基として有していてもよいアリール基、が好ましく、特に、アルコキシ基を置換基として有していてもよい炭素数１〜８の直鎖状若しくは分岐鎖状アルキル基が好ましい。
【００９９】
又、前記一般式（ＶＩ）におけるＲ62のアルキル基としては、前記Ｒ61におけるアルキル基として挙げたと同様のものが、又、Ｒ62のアルコキシ基としては、例えば、メトキシ基、エトキシ基、プロポキシ基、ブトキシ基、ペンチルオキシ基、ヘキシルオキシ基、ヘプチルオキシ基、オクチルオキシ基、デシルオキシ基、ウンデシルオキシ基、ドデシルオキシ基、トリデシルオキシ基、ペンタデシルオキシ基等の炭素数１〜２０の直鎖状若しくは分岐鎖状のものが、又、Ｒ62のアルコキシカルボニル基としては、前記アルコキシ基を有するカルボニル基が、又、Ｒ62のシクロアルキル基としては、前記Ｒ61におけるシクロアルキル基として挙げたと同様のものが、又、アリール基としては、前記Ｒ61におけるアリール基として挙げたと同様のものが、又、Ｒ62のアリールオキシ基としては、フェノキシ基、ナフチルオキシ基等が、又、Ｒ62のアリールオキシカルボニル基としては、前記アリールオキシ基を有するカルボニル基が、それぞれ挙げられる。
【０１００】
又、前記アルキル基、アルコキシ基、アルコキシカルボニル基、シクロアルキル基、アリール基、アリールオキシ基、アリールオキシカルボニル基、及びアミノ基の置換基としては、例えば、前記Ｒ61におけるアルキル基、シクロアルキル基、及びアリール基の置換基として挙げたと同様のアルキル基、同じくアルコキシ基、同じくアリール基、同じくアリールオキシ基、同じくスルホンアミド基、同じくアルキルスルホンアミド基、同じくジアルキルスルホンアミド基、同じくニトロ基、同じくハロゲン原子、並びに、プロピオニル基、ブチリル基、ベンゾイル基等のアシル基、メタンスルホニル基、ベンゼンスルホニル基等のスルホニル基、水酸基、及びハロゲン原子等が挙げられる。
【０１０１】
前記一般式（ＶＩ）において、Ｒ62としては、前記の中で、（１）アルコキシ基、アリール基、アリールオキシ基、水酸基、或いはハロゲン原子を置換基として有していてもよい直鎖状若しくは分岐鎖状アルキル基、（２）アルコキシ基、アリール基、アリールオキシ基、水酸基、或いはハロゲン原子を置換基として有していてもよい直鎖状若しくは分岐鎖状アルコキシ基、（３）アルコキシ基を置換基として有していてもよいアルコキシ基を有するカルボニル基、（４）アルキル基、アルコキシ基、スルホンアミド基、アルキルスルホンアミド基、ジアルキルスルホンアミド基、ニトロ基、水酸基、或いはハロゲン原子を置換基として有していてもよいアリール基、（５）アルキル基、或いはアルコキシ基を置換基として有していてもよいアリール基を有するカルボニル基、又は（６）アルキル基、アシル基、或いはスルホニル基を置換基として有していてもよいアミノ基、が好ましく、特に、アルコキシ基を置換基として有していてもよい炭素数１〜８の直鎖状若しくは分岐鎖状アルキル基及びアルコキシ基を置換基として有していてもよい直鎖状若しくは分岐鎖状アルコキシ基が好ましい。
以下にその具体例を示す。
【０１０２】
【化１９】
2005077953.tif 000015
【０１０３】
【化２０】
2005077953.tif 000016
【０１０４】
［式（ＶＩＩ）中、Ｒ71〜Ｒ77は各々独立に、水素原子、ハロゲン原子、ニトロ基、シアノ基、水酸基、置換基を有していてもよいアミノ基、エステル化されていてもよいカルボキシル基、スルホン酸基、アシル基、アシルオキシ基、置換基を有していてもよいアルキル基、置換基を有していてもよいアルコキシ基、置換基を有していてもよいアルキルチオ基、置換基を有していてもよいアルケニル基、置換基を有していてもよいアリール基、置換基を有していてもよいアリールオキシ基、置換基を有していてもよいアリールチオ基、置換基を有していてもよい複素環基、置換基を有していてもよい複素環オキシ基、置換基を有していてもよいカルバモイル基を表し、Ｒ71とＲ72又はＲ76とＲ77は、各々連結して置換基を有していてもよい芳香環を形成してもよい。Ｍ7は金属原子を表す。〕
【０１０５】
前記一般式（ＶＩＩ）においてＲ71〜Ｒ77で表されるハロゲン原子としては、例えば、フッ素原子、塩素原子、臭素原子などが挙げられる。
Ｒ71〜Ｒ77で表される置換基を有していてもよいアミノ基としては、アミノ基、置換基を有していてもよいアシルアミノ基、置換基を有していてもよいアルキルアミノ基、置換基を有していてもよいジアルキルアミノ基、アリールアミノ基、ジアリールアミノ基、アルキルアリールアミノ基などが挙げられる。置換基を有していてもよいアシルアミノ基としては、置換基を有していてもよいアルキルカルボニルアミノ基、置換基を有していてもよいアリールカルボニルアミノ基などが挙げられる。
【０１０６】
アルキルアミノ基又はジアルキルアミノ基としては、メチル基、エチル基、プロピル基、ブチル基、ペンチル基、ヘキシル基、ヘプチル基、オクチル基、デシル基、ウンデシル基、ドデシル基、ペンタデシル基等の炭素数１〜２０のアルキル基で１置換又は２置換されたアミノ基が挙げられる。
アリールアミノ基又はジアリールアミノ基としては、フェニル基、ナフチル基等の炭素数６〜１２のアリール基で１置換または２置換されたアミノ基が挙げられる。
アルキルアリールアミノ基としては、メチル基、エチル基、プロピル基、ブチル基、ペンチル基、ヘキシル基、ヘプチル基、オクチル基、デシル基、ウンデシル基、ドデシル基、ペンタデシル基等の炭素数１〜２０のアルキル基と、フェニル基、ナフチル基等の炭素数６〜１２のアリール基とで置換されたアミノ基が挙げられる。
【０１０７】
アルキルカルボニルアミノ基としては、アセチルアミノ基、エチルカルボニルアミノ基、ブチルカルボニルアミノ基等の炭素数２〜２０のものが挙げられる。
アリールカルボニルアミノ基としては、フェニルカルボニルアミノ基、4-エチルフェニルカルボニルアミノ基、3-ブチルフェニルカルボニルアミノ基等の炭素数７〜２０のものが挙げられる。
これらのアシルアミノ基、アルキルアミノ基、ジアルキルアミノ基、アリールアミノ基、ジアリールアミノ基又はアルキルアリールアミノ基のアシル基、アルキル基及びアリール基に結合する置換基としては、炭素数１〜１０のアルキル基、炭素数１〜１０のアルコキシ基、水酸基、ハロゲン原子等が挙げられる。
【０１０８】
Ｒ71〜Ｒ77で表されるエステル化されていてもよいカルボキシル基としては、カルボキシル基、置換基を有していてもよいアルコキシカルボニル基、置換基を有していてもよいアリールオキシカルボニル基、置換基を有していてもよいアルケニルオキシカルボニル基などが挙げられる。
【０１０９】
アルコキシカルボニル基としては、メトキシカルボニル基、エトキシカルボニル基、イソプロピルオキシカルボニル基、2,4-ジメチルブチルオキシカルボニル基等の炭素数２〜２０のアルコキシカルボニル基が挙げられる。アルコキシカルボニル基には更に置換基として、炭素数６〜１２のアリール基、炭素数２〜１０のアルコキシカルボニル基、炭素数２〜１０のアルキルカルボニル基等が結合していてもよい。このような置換機を有するものとしては例えば、ベンジルオキシカルボニル基、フェネチルオキシカルボニル基等の炭素数８〜２０のアラルキルオキシカルボニル基、メトキシカルボニルメトキシカルボニル基、エトキシカルボニルメトキシカルボニル基、n-プロポキシカルボニルメトキシカルボニル基、イソプロポキシカルボニルメトキシカルボニル基等の炭素数４〜２０のアルコキシカルボニルアルコキシカルボニル基、メチルカルボニルメトキシカルボニル基、エチルカルボニルメトキシカルボニル基などの炭素数４〜２０のアルキルカルボニルアルコキシカルボニル基が挙げられる。これらのアラルキルオキシカルボニル基、アルコキシカルボニルアルコキシカルボニル基、アルキルカルボニルアルコキシカルボニル基はさらに、上述の置換基を有していてもよい。
【０１１０】
アリールオキシカルボニル基としては、炭素数１〜１０のアルキル基、炭素数１〜１０のアルコキシ基、水酸基、ハロゲン原子等で置換されていてもよいフェノキシカルボニル基又はナフチルオキシカルボニル基が挙げられる。アルキルフェノキシカルボニル基としては、2-メチルフェノキシカルボニル基、4-t-ブチルフェノキシカルボニル基などの炭素数７〜２０のものが挙げられ、アルコキシフェノキシカルボニル基としては、4-メトキシフェノキシカルボニル基等の炭素数７〜２０のものが挙げられる。これらのアルキルフェノキシカルボニル基、アルコキシフェノキシカルボニル基はさらに、上述の置換基を有していてもよい。
アルケニルオキシカルボニル基としては、アリルオキシカルボニル基、2-ブテノキシカルボニル基等の炭素数３〜２０のものが挙げられる。アルケニルオキシカルボニル基の置換基としては、炭素数１〜１０のアルキル基、炭素数１〜１０のアルコキシ基、水酸基、ハロゲン原子等が挙げられる。
【０１１１】
Ｒ71〜Ｒ77で表されるアシル基としては、ホルミル基、アセチル基、エチルカルボニル基、n-プロピルカルボニル基、iso-プロピルカルボニル基、n-ブチルカルボニル基、iso-ブチルカルボニル基、sec-ブチルカルボニル基、t-ブチルカルボニル基、n-ペンチルカルボニル基、iso-ペンチルカルボニル基、neo-ペンチルカルボニル基、2-メチルブチルカルボニル基、ベンジルカルボニル基、ベンゾイル基等の炭素数１〜２０のものが挙げられる。アシル基の置換基としては、ハロゲン原子、ニトロ基、水酸基、シアノ基、アルコキシ基、アリールオキシ基などが挙げられる。ハロゲン原子の置換したアシル基としてはクロロベンジルカルボニル基等が挙げられ、ニトロ基の置換したアシル基としてはニトロベンジルカルボニル基等が挙げられ、水酸基の置換したアシル基としてはヒドロキシベンジルカルボニル基、ヒドロキシブチルカルボニル基等が挙げられ、シアノ基が置換したアシル基としてはシアノベンジルカルボニル基、シアノペンチルカルボニル基等が挙げられ、アルコキシ基が置換したアシル基としてはメトキシベンジルカルボニル基等が挙げられ、アリールオキシ基の置換したアシル基としてはフェノキシベンジルカルボニル基等が挙げられる。
Ｒ71〜Ｒ77で表されるアシルオキシ基のアシル基としては、上記で記載したものと同様のものが挙げられる。
【０１１２】
Ｒ71〜Ｒ77で表されるアルキル基としては、メチル基、エチル基、n-プロピル基、iso-プロピル基、n-ブチル基、iso-ブチル基、sec-ブチル基、t-ブチル基、n-ペンチル基、iso-ペンチル基、2-メチルブチル基、1-メチルブチル基、neo-ペンチル基、1,2-ジメチルプロピル基、1,1-ジメチルプロピル基、cyclo-ペンチル基、n-ヘキシル基、4-メチルペンチル基、3-メチルペンチル基、2-メチルペンチル基、1-メチルペンチル基、3,3-ジメチルブチル基、2,3-ジメチルブチル基、1,3-ジメチルブチル基、2,2-ジメチルブチル基、1,2-ジメチルブチル基、1,1-ジメチルブチル基、3-エチルブチル基、2-エチルブチル基、1-エチルブチル基、1,2,2-卜リメチルブチル基、1,1,2-トリメチルブチル基、1-エチル-2-メチルプロピル基、cyclo-ヘキシル基、n-ヘプチル基、2-メチルヘキシル基、3-メチルヘキシル基、4-メチルヘキシル基、5-メチルヘキシル基、2,4-ジメチルペンチル基、n-オクチル基、2-エチルヘキシル基、2,5-ジメチルヘキシル基、2,5,5-トリメチルペンチル基、2,4-ジメチルヘキシル基、2,2,4-トリメチルペンチル基、n-オクチル基、3,5,5-トリメチルヘキシル基、n-ノニル基、n-デシル基、4-エチルオクチル基、4-エチル-4,5-メチルヘキシル基、n-ウンデシル基、n-ドデシル基、1,3,5,7-テトラエチルオクチル基、4-ブチルオクチル基、6,6-ジエチルオクチル基、n-トリデシル基、6-メチル-4-ブチルオクチル基、n-テトラデシル基、n-ペンタデシル基、3,5-ジメチルヘプチル基、2,6-ジメチルヘプチル基、2,4-ジメチルヘプチル基、2,2,5,5-テトラメチルヘキシル基、1-cyclo-ペンチル-2,2- ジメチルプロピル基、1-cyclo-ヘキシル-2,2-ジメチルプロピル基等の炭素数１〜２０の直鎖状、分岐鎖状又は環状のものが挙げられる。
【０１１３】
アルキル基の置換基としては、ハロゲン原子、炭素数１〜１０のアルコキシ基、アリール基、水酸基、シアノ基基などが挙げられる。
ハロアルキル基としては、クロロメチル基、ジクロロメチル基、フルオロメチル基、トリフルオロメチル基、ペンタフルオロエチル基、ノナフルオロブチル基等の炭素数１〜２０のハロアルキル基が挙げられる。
アルコキシアルキル基としては、メトキシエチル基、エトキシエチル基、iso-プロピルオキシエチル基、3-メトキシプロピル基、2-メトキシブチル基等の炭素数２〜２０のアルコキシアルキル基が挙げられる。
【０１１４】
アラルキル基としては、ベンジル基、ナフチルメチル基などが挙げられる。アラルキル基の置換基としては、ニトロ基、シアノ基、水酸基、炭素数１〜１０のアルキル基、炭素数１〜１０のハロアルキル基、炭素数１〜１０のアルコキシ基、ハロゲン原子等が挙げられ、置換基を有するアラルキル基としては、例えば、ニトロベンジル基、シアノベンジル基、ヒドロキシベンジル基、メチルベンジル基、ジメチルベンジル基、トリメチルベンジル基、ジクロロベンジル基、メトキシベンジル基、エトキシベンジル基、トリフルオロメチルベンジル基、ナフチルメチル基、ニトロナフチルメチル基、シアノナフチルメチル基、ヒドロキシナフチルメチル基、メチルナフチルメチル基、トリフルオロメチルナフチルメチル基等の炭素数７〜２０のものが挙げられる。
【０１１５】
ヒドロキシアルキル基としては、ヒドロキシメチル基、ヒドロキシエチル基、ヒドロキシプロピル基、ヒドロキシブチル基等の炭素数１〜２０のものが挙げられる。
シアノアルキル基としては、シアノメチル基、シアノエチル基、シアノプロピル基、シアノブチル基等の炭素数が２〜２０のものが挙げられる。
【０１１６】
Ｒ71〜Ｒ77で表されるアルコキシ基としては、メトキシ基、エトキシ基、n-プロポキシ基、iso-プロポキシ基、n-ブトキシ基、iso-ブトキシ基、sec-ブトキシ基、t-ブトキシ基、n-ペントキシ基、iso-ペントキシ基、neo-ペントキシ基、n-ヘキシルオキシ基、n-ドデシルオキシ基等の炭素数１〜２０の直鎖状又は分岐状のアルコキシ基が挙げられ、アルコキシ基の置換基としては、炭素数１〜１０のアルコキシ基、ハロゲン原子、アリール基などが挙げられる。アルコキシアルコキシ基としては、メトキシエトキシ基、エトキシエトキシ基、3-メトキシプロピルオキシ基、3-（iso-プロピルオキシ）プロピルオキシ基等の炭素数２〜２０のものが挙げられる。ハロアルコキシ基としては、トリフルオロメトキシ基等の炭素数１〜２０のものが挙げられる。アラルキルオキシ基としては、ベンジルオキシ基などの炭素数７〜２０のものが挙げられる。
【０１１７】
Ｒ71〜Ｒ77で表されるアルキルチオ基としては、メチルチオ基、エチルチオ基、n-プロピルチオ基、iso-プロピルチオ基、n-ブチルチオ基、iso-ブチルチオ基、sec-ブチルチオ基、t-ブチルチオ基、n-ペンチルチオ基、iso-ペンチルチオ基、2-メチルブチルチオ基、1-メチルブチルチオ基、neo-ペンチルチオ基、1,2-ジメチルプロピルチオ基、1,1-ジメチルプロピルチオ基等の炭素数１〜２０のアルキルチオ基が挙げられ、アルキルチオ基の置換基としては、ハロゲン原子、アリール基などが挙げられる。ハロアルキルチオ基としては、トリフルオロメチルチオ基などが挙げられ、アラルキルチオ基としては、ベンジルチオ基などが挙げられる。
【０１１８】
Ｒ71〜Ｒ77で表されるアルケニル基としては、ビニル基、プロペニル基、1-ブテニル基、iso-ブテニル基、1-ペンテニル基、2-ペンテニル基、2-メチル-1-ブテニル基、3-メチル-1-ブテニル基、2-メチル-2-ブテニル基、2,2-ジシアノビニル基、2-シアノ-2-メチルカルボキシルビニル基、2-シアノ-2-メチルスルホンビニル基等の炭素数２〜２０のアルケニル基が挙げられる。
【０１１９】
Ｒ71〜Ｒ77で表されるアリール基としては、フェニル基、ナフチル基等が挙げられる。アリール基の置換基としては、ハロゲン原子、ニトロ基、シアノ基、水酸基、炭素数１〜１０のアルキル基、炭素数１〜１０のアルコキシ基、炭素数１〜１０のハロアルキル基、アルキル基及びアリール基からなる置換基で１または２置換されていてもよいアミノ基などが挙げられる。置換基を有するアリール基としては、例えば、ニトロフェニル基、ニトロナフチル基、シアノフェニル基、シアノナフチル基、ヒドロキシフェニル基、ヒドロキシナフチル基、2-メチルフェニル基、4-メチルフェニル基、ジメチルフェニル基、トリメチルフェニル基、4-i-プロピルフェニル基、4-t-ブチルフェニル基、メチルナフチル基、メトキシフェニル基、エトキシフェニル基、ジクロロフェニル基、トリフルオロメチルフェニル基、トリフルオロメチルナフチル基、Ｎ,Ｎ-ジメチルアミノフェニル基等の炭素数６〜２０のものが挙げられる。
【０１２０】
Ｒ71〜Ｒ77で表されるアリールオキシ基のアリール基としては、上述のアリール基と同様のものが挙げられる。
Ｒ71〜Ｒ77で表されるアリールチオ基のアリール基としては、上述のアリール基と同様のものが挙げられる。
【０１２１】
Ｒ71〜Ｒ77で表される複素環基としては、酸素原子、窒素原子または硫黄原子をヘテロ原子として含む炭素数４〜２０の複素環が挙げられる。具体的には、ピロリル基、チエニル基、フラニル基、オキサゾリル基、イソオキサゾリル基、オキサジアゾリル基、イミダゾリル基、ベンゾオキサゾリル基、ベンゾチアゾリル基、ベンゾイミダゾリル基、ベンゾフラニル基、インドリル基等が挙げられる。これらの置換基としては、炭素数１〜１０のアルキル基、炭素数１〜１０のアルコキシ基、水酸基、ハロゲン原子などが挙げられる。
Ｒ71〜Ｒ77で表される複素環オキシ基の複素環基としては、上述の複素環基と同様のものが挙げられる。
【０１２２】
Ｒ71〜Ｒ77で表される置換基を有していてもよいカルバモイル基としては、置換基を有していてもよいアルキル基及び置換基を有していてもよいアリール基からなる群より選ばれる置換基で１又は２置換されていてもよいアミノカルボニル基などが挙げられる。
該アミノカルボニル基としては、メチルアミノカルボニル基、エチルアミノカルボニル基、n-プロピルアミノカルボニル基、n-ブチルアミノカルボニル基、n-ヘキシルアミノカルボニル基等の炭素数２〜２０のアルキルアミノカルボニル基；ジメチルアミノカルボニル基、ジエチルアミノカルボニル基、ジ-n-プロピルアミノカルボニル基、ジ-n-ブチルアミノカルボニル基、Ｎ-メチル-Ｎ-シクロヘキシルアミノカルボニル基等の炭素数３〜２０のジアルキルアミノカルボニル基；フェニルアミノカルボニル基、4-メチルフェニルアミノカルボニル基、2-メトキシフェニルアミノカルボニル基、4-n-プロピルフェニルアミノカルボニル基等の炭素数７〜２０のアリールアミノカルボニル基；ヒドロキシエチルアミノカルボニル基、2-ヒドロキシプロピルアミノカルボニル基、3-ヒドロキシプロピルアミノカルボニル基等の炭素数２〜２０のモノ（ヒドロキシアルキル）アミノカルボニル基；ジ（ヒドロキシエチル）アミノカルボニル基、ジ（2-ヒドロキシプロピル）アミノカルボニル基、ジ（3-ヒドロキシプロピル）アミノカルボニル基等の炭素数３〜２０のジ（ヒドロキシアルキル）アミノカルボニル基；メトキシメチルアミノカルボニル基、メトキシエチルアミノカルボニル基、エトキシメチルアミノカルボニル基、エトキシエチルアミノカルボニル基、プロボキシエチルアミノカルボニル基等の炭素数３〜２０のモノ（アルコキシアルキル）アミノカルボニル基；ジ（メトキシエチル）アミノカルボニル基、ジ（エトキシメチル）アミノカルボニル基、ジ（エトキシエチル）アミノカルボニル基、ジ（プロポキシエチル）アミノカルボニル基等の炭素数５〜２０のジ（アルコキシアルキル）アミノカルボニル基等が挙げられる。
【０１２３】
一般式（ＶＩＩ）で示されるジピロメテン系化合物と一緒にキレート化合物を形成する金属Ｍ7としては、一般にジベンゾピロメテン系化合物とキレート化合物を形成する能力を有する金属であれば特に制限されないが、８族、９族、１０族（VIII族）、１１族（Ib族）、１２族（IIb族）、３族（IIIa族）、４族（IVa族）、５族（Va族）、６族（VIa族）、７族（VIIa族）の金属が挙げられ、好ましくは、ニッケル、コバルト、鉄、ルテニウム、ロジウム、パラジウム、銅、オスミウム、イリジウム、白金、亜鉛等の遷移元素が挙げられる。
以下にその好適な具体例を示す。
【０１２４】
【化２１】
2005077953.tif 000017
【０１２５】
上記に挙げた化合物のうち、４８０〜５２０ｎｍに吸収極大を有する化合物としてより好ましいものは、一般式（ＶＩ）で表されるスクアリリウム系化合物である。
【０１２６】
本発明にかかる電子ディスプレイ用フィルターにおいて、これら一般式の一般式（ＩＩ）〜（ＶＩＩ）で表される化合物は、一般式（Ｉ）で表される化合物を含む層とは別の層に含まれていてもよいが、一般式（Ｉ）で表される化合物を含む層と同一の層に含まれている方が製造コスト及び手間の点から好ましい。
【０１２７】
また、本発明の電子ディスプレイ用フィルターは、耐光性を上げるために紫外線吸収層を設けることができる。
さらに本発明の電子ディスプレイ用フィルターは、近赤外線カット層や電磁波カット層を設けることができる。近赤外線カット層は、プラズマディスプレイから放射される近赤外線によるリモコンや伝送系光通信における誤動作を防止する目的でディスプレイの前面に設置する。電磁波カット層は、金属酸化物等を蒸着或いはスパッタリング、あるいはコーティングしたもの、銅箔や銅メッキ層のエッチングによるメッシュ等が利用でき、電子ディスプレイから放射される電磁波をカットする。
【０１２８】
この電子ディスプレイ用フィルターは、単独はもちろん透明のガラスや他の透明樹脂板等と貼り合わせた積層体として用いることができる。また、電子ディスプレイ表示面へ直接貼付される部材、透明ガラスや他の透明樹脂板などと貼り合わせた積層体として設置される部材等、複数の部材の特性を組み合わせることで、本発明を実施することもできる。本発明の電子ディスプレイ用フィルターを用いて、電子ディスプレイ、またはプラズマディスプレイパネル表示装置を得るには、表示装置として、公知の表示装置あるいは市販品であれば特に限定なく用いることができる。
【実施例】
【０１２９】
以下に、本発明を実施例により更に詳細に説明するが、本発明はその要旨を越えない限り、以下の実施例に限定されるものではない。
＜フィルターの評価方法＞
１．視感透過率（定義ＪＩＳ  Ｚ８１０５−１９８２）：
島津社製分光光度計ＵＶ３１００ＰＣにより測定したフィルターの透過スペクトルを用い、ＸＹＺ表色系の三刺激値のＹを計算し、視感透過率とした。計算方法は、ＪＩＳ  Ｚ８７２２−２０００による。
なお、本計算では電子ディスプレイの発光スペクトルとして、ミノルタ社製分光輝度計で測定した日立製作所社製プラズマディスプレイ（Ｗ３２−ＰＤ２１００）の発光スペクトルを使用した。
２．コントラストの視感評価：
前述の日立製作所社製プラズマディスプレイの前にフィルターを設置した上でディスプレイ中心部に白色を表示し、その周辺には何も表示しない(ディスプレイ発光無し)状態で、目視にてコントラストを評価した。評価は３波長域発光形昼白色蛍光灯が天井に設置された部屋の中で行った。
【０１３０】
（実施例１）
ポリエチレンテレフタレート製フィルム(東洋紡社製ＰＥＴフィルム「Ａ７３００」、厚み１２５μｍ)に、ポリメチルメタクリレート樹脂（「ダイヤナールＢＲ−８０」三菱レーヨン社製）のジメトキシエタン（ＤＭＥ）溶液（樹脂分３０ｗｔ％）に、下表に示す化合物、ジメトキシエタン、及びトルエンを混合、溶解し、得られた溶液をＮＯ．１２バーコーター（テスター産業社製）で塗工、乾燥し、膜厚４．５μｍのコーティング膜を有するフィルターを得た。これをフィルムＡとする。
【０１３１】
【表２】
2005077953.tif 000018
【０１３２】
ポリエチレンテレフタレート製フィルム（三菱化学ポリエステルフィルム社製ＰＥＴフィルム「Ｔ６００Ｅ  Ｗ０７」、厚み５０μｍ）の片面に、脂環式アルキルメタクリレート樹脂（「オプトレッツＯＺ−１１００」日立化成工業（株）社製）樹脂分３５ｗｔ％、メチルエチルケトン（ＭＥＫ）３２．５ｗｔ％、トルエン３２．５ｗｔ％に、ジイモニウム系近赤外線吸収色素（Ｎ，Ｎ，Ｎ', Ｎ',−テトラキス（ｐ−ジブルチルアミノフェニル）−ｐ−フェニレンジイモニウムの六フッ化アンチモン酸塩）９．４％／樹脂分、トルエン、ＭＥＫを混合溶解させ、得られた溶液をＮ０．１０バーコーター（太祐機材社製）で塗工し、乾燥して膜厚保３．０μｍのコーティング膜を形成した。このフィルムのもう一方の面に、脂環式アルキルメタクリレート樹脂（「オプトレッツＯＺ−１１００」日立化成工業（株）社製）樹脂３５ｗｔ％、メチルエチルケトン（ＭＥＫ）３２．５ｗｔ％、トルエン３２．５ｗｔ％に、アミノチオールニッケル錯体近赤外線吸収色素｛ビス−２，２'−[１，２−ジ（３−クロロフェニル）エチレンジイミン]ベンゼンチオラート｝ニッケル（II）５．０ｗｔ％／樹脂分、トルエン、ＭＥＫを混合溶解させ、得られた溶液を用いて同様にコーティング膜を形成し、フィルムＢを得た。
【０１３３】
上記フィルムＢ、フィルムＡ、電磁波シールドメッシュ（線幅１０μｍ、線ピッチ２５０μｍ）、ガラス、反射防止フィルム（日本油脂社製リアルック８２０１ＵＶ）を順に貼り合わせて、電子ディスプレイ用フィルターを得た。
【０１３４】
このフィルターの３波長域発光形蛍光管の緑色発光のピーク（通常５４５ｎｍ）における光線透過率Ｙ2（％）及びディスプレイの緑色発光ピークの波長（通常は５２５ｎｍ）における光線透過率Ｙ4（％）、プラズマディスプレイの白色発光スペクトルを使用した視感透過率Ｙ1（％）、３波長域発光形蛍光灯Ｆ１０の発光スペクトルを使用した視感透過率Ｙ3（％）を評価した。各評価結果を表−２に示す。
また、このフィルターのコントラストの視感評価を行った。結果は最後にまとめて示す。
【０１３５】
（実施例２）
フィルムＡの作製に、次表に示す化合物を用いた他は、実施例１と同様に行って、電子ディスプレイ用フィルターを得た。
【表３】
2005077953.tif 000019
得られたフィルターは、実施例１と同様に評価を行った。結果を表−２に示す。
【０１３６】
（実施例３）
フィルムＡの作製に、次表に示す化合物を用いた他は、実施例１と同様に行って、電子ディスプレイ用フィルターを得た。
【表４】
2005077953.tif 000020
得られたフィルターは、実施例１と同様に評価を行った。結果を表−２に示す。
【０１３７】
（実施例４）
フィルムＡの作製に、次表に示す化合物を用いた他は、実施例１と同様に行って、電子ディスプレイ用フィルターを得た。
【表５】
2005077953.tif 000021
得られたフィルターは、実施例１と同様に評価を行った。結果を表−２に示す。
【０１３８】
（実施例５）
フィルムＡの作製に、次表に示す化合物を用いた他は、実施例１と同様に行って、電子ディスプレイ用フィルターを得た。
【表６】
2005077953.tif 000022
得られたフィルターは、実施例１と同様に評価を行った。結果を表−２に示す。
【０１３９】
（実施例６）
フィルムＡの作製に、次表に示す化合物を用いた他は、実施例１と同様に行って、電子ディスプレイ用フィルターを得た。
【表７】
2005077953.tif 000023
得られたフィルターは、実施例１と同様に評価を行った。結果を表−２に示す。また、このフィルターの透過率スペクトルを図２に、このフィルターを透過した後の３波長域発光形蛍光灯の発光スペクトル及びこのフィルターを透過した後のプラズマディスプレイ発光スペクトルを図４に示す。
【０１４０】
（比較例１）
フィルムＡの作製に、次表に示す化合物を用いた他は、実施例１と同様に行って、電子ディスプレイ用フィルターを得た。
【表８】
2005077953.tif 000024
【０１４１】
【化２２】
2005077953.tif 000025
【０１４２】
得られたフィルターは、実施例１と同様に評価を行った。結果を表−２に示す。
【０１４３】
【表９】
2005077953.tif 000026
【０１４４】
コントラストの視感評価：
実施例１〜実施例６はコントラストが高く感じられた。
比較例１は、発光していない部分に外光（室内の蛍光灯）が強く写り込むため黒が白っぽくなり、コントラストは最も低く感じられた。
【０１４５】
表２の評価結果からも、実施例１〜実施例６ではいずれも得られたフィルターの３波長域発光形蛍光管の緑色発光のピークにおける光線透過率Ｙ2（％）がディスプレイの緑色発光ピークの波長における光線透過率Ｙ4（％）よりも１０以上低く、更に、３波長域発光形蛍光灯Ｆ１０の発光スペクトルを使用した視感透過率Ｙ3（％）がプラズマディスプレイの発光スペクトルを使用した視感透過率Ｙ1（％）よりも２以上低いため、実施例１〜実施例６はコントラストが高いと考えられる。比較例１では［Ｙ4（％）−Ｙ2（％）］が５以下であり、又、［Ｙ1（％）−Ｙ3（％）］が０以下であるため、比較例１はコントラストが高くないと考えられる。
【図面の簡単な説明】
【０１４６】
【図１】本発明の電子ディスプレイ用フィルターを電子ディスプレイの前面に配置し、電子ディスプレイの発光を阻害せずに、電子ディスプレイ表面での外光の反射光を低減している状態を概念的に示す構成説明図である。
【図２】プラズマディスプレイからなる電子ディスプレイの発光スペクトル及び３波長域発光形蛍光灯Ｆ１０の発光スペクトル、並びに実施例６に挙げた本発明の電子ディスプレイ用フィルターの透過スペクトルを示す特性図である。
【図３】プラズマディスプレイからなる電子ディスプレイの発光スペクトル、３波長域発光形蛍光灯Ｆ１０の発光スペクトルを示す特性図である。
【図４】実施例６に挙げた本発明の電子ディスプレイ用フィルターを透過した後のプラズマディスプレイの発光スペクトル、３波長域発光形蛍光灯Ｆ１０の発光スペクトルを示す特性図である。
【符号の説明】
【０１４７】
３  電子ディスプレイ用フィルターを二度通過して不要な成分がカットされたた外光
１０  電子ディスプレイ用フィルター
１１  電子ディスプレイ
１２  電子ディスプレイの発光光線
１３  電子ディスプレイ用フィルターを透過した外光及びその反射光
１４  電子ディスプレイ発光の発光スペクトル
１５  ３波長域発光形蛍光灯Ｆ１０の発光スペクトル
１６  電子ディスプレイ用フィルターの透過スペクトル
２３  外光
Ｇ  プラズマディスプレイの緑色の発光部分
Ｒ１  プラズマディスプレイの赤色の発光部分
Ｒ２  プラズマディスプレイの赤色の発光部分
Ｂ  プラズマディスプレイの青色の発光部分
【図１】
2005077953.tif 000034
【図２】
2005077953.tif 000035
【図３】
2005077953.tif 000036
【図４】
2005077953.tif 000037